(57)【特許請求の範囲】
【請求項１】
放送内容情報を要約した放送内容要約情報を提供する情報提供装置において、
前記放送内容情報の要約内容を示す要約再生情報を格納する要約再生情報格納手段と、
前記要約再生情報に対応づけて作成されており前記要約再生情報に示される要約内容をさらに詳細に選択する選択枝を有する検索画面を表示するための付加画面情報を格納する付加画面情報格納手段と、
送信された指定条件情報に従って、前記要約再生情報格納手段から特定の前記要約再生情報を抽出する要約再生情報検索手段と、
前記要約再生情報検索手段によって抽出された前記要約再生情報に対応する前記付加画面情報を、前記付加画面情報格納手段から抽出する付加画面情報抽出手段と、
前記指定条件情報に従って、前記要約再生情報検索手段によって抽出された前記要約再生情報を短縮する要約内容短縮手段と、
前記付加画面情報抽出手段によって抽出された前記付加画面情報、及び前記要約内容短縮手段によって短縮された前記要約再生情報を、前記指定条件情報に指定されたタイミングで、前記放送内容要約情報を利用する情報利用装置に配信する要約再生配信手段と、を有し、
前記要約再生情報検索手段は、前記要約再生配信手段が前記付加画面情報及び短縮された前記要約再生情報を配信する前は、利用者が指定したキーワード及び放送単位を指定するタイトルＩＤを有する前記指定条件情報が前記情報利用装置から送信されたことに応じて、前記キーワード及び前記タイトルＩＤに従って前記要約再生情報の抽出を行い、前記要約再生配信手段が前記付加画面情報及び短縮された前記要約再生情報を配信した後、前記指定条件情報として、前記キーワード及び前記タイトルＩＤとともに前記検索画面から利用者が選択した要約内容を示す選択情報ＩＤを有する指定条件情報が前記情報利用装置から送信された場合には、前記キーワード、前記タイトルＩＤ及び前記選択情報ＩＤに従って前記要約再生情報の抽出を行う処理を繰り返す
情報提供装置。
【請求項２】
前記要約再生情報は、前記放送内容要約情報を構成するフレームのフレーム番号と、該フレームが放送された放送時刻と、を示す識別子を有する
請求項１記載の情報提供装置。
【請求項３】
前記要約再生配信手段は、前記付加画面情報及び前記要約再生情報とともに、前記指定条件情報が有する前記キーワード、前記タイトルＩＤ及び前記選択情報ＩＤを配信する
請求項１記載の情報提供装置。
【請求項４】
前記指定条件情報は、利用者が指定した視聴可能時間の情報を有し、
前記要約内容短縮手段は、作成される放送内容の要約が、前記視聴可能時間内に収まるように前記要約再生情報を短縮する
請求項１記載の情報提供装置。
【請求項５】
前記指定条件情報は、利用者によって指定された配信方法を示す配信方法ＩＤを有し、
前記要約再生配信手段は、前記配信方法ＩＤに従って、前記要約再生情報の配信を行う
請求項１記載の情報提供装置。
【請求項６】
前記配信方法ＩＤは、前記指定条件情報が送信された時刻、毎日決められた時刻、或いは配信可能となった時刻、のいずれかから選択された前記付加画面情報及び前記要約再生情報を配信するタイミングを示す
請求項５記載の情報提供装置。
【請求項７】
放送内容の要約が再生されたことを示す視聴結果情報を回収する視聴結果回収手段と、
前記視聴結果情報の統計である視聴統計情報を作成し、顧客の管理を行う顧客管理手段をさらに有する
請求項１記載の情報提供装置。
【請求項８】
金融決済機関に課金情報を送信する課金情報送信手段をさらに有する
請求項７記載の情報提供装置。
【請求項９】
利用者に提供する広告情報を格納する広告情報格納手段と、
前記視聴統計情報に基づき、前記広告情報格納手段から利用者別に選択された個人広告情報を抽出する広告選択手段とをさらに有し、
前記要約再生配信手段は、前記個人広告情報の配信を行う
請求項７記載の情報提供装置。
【請求項１０】
前記広告情報は、電子通信装置を用いて接続することができる電子通信網の通信アドレスを有する
請求項９記載の情報提供装置。
【請求項１１】
放送内容情報を要約した放送内容要約情報を利用する情報利用装置において、
前記放送内容情報を格納する放送内容情報格納手段と、
提供を希望する前記放送内容要約情報の指定条件情報を入力する指定条件入力手段と、
前記指定条件情報を、前記放送内容要約情報を提供する情報提供装置に送信する指定条件情報送信手段と、
前記指定条件情報に応じて前記情報提供装置から配信された前記放送内容情報の要約を示す要約再生情報、及び前記要約再生情報に対応づけられており前記要約再生情報に示される要約内容をさらに詳細に選択する選択枝を有する検索画面を表示するための付加画面情報を受信する要約関連情報受信手段と、
前記要約関連情報受信手段によって受信された前記付加画面情報を用い、前記検索画面の表示を行う付加画面表示手段と、
再生する要約が確定したことを指示する操作手段と、
前記要約関連情報受信手段によって受信された前記要約再生情報を用い、前記放送内容情報格納手段に格納されている前記放送内容情報から、前記放送内容要約情報を構成するフレームを抽出するフレーム検索手段と、
前記フレーム検索手段によって抽出された前記フレームを再生する画像再生手段と、を有し、
前記指定条件入力手段は、前記指定条件情報として、キーワード、放送単位を指定するタイトルＩＤ、視聴可能時間情報、及び配信方法を示す配信方法ＩＤを有する指定条件情報を入力可能であり、
前記指定条件情報送信手段は、前記要約関連情報受信手段によって前記要約再生情報及び前記付加画面情報を受信する前は、前記指定条件入力手段によって入力された前記指定条件情報を前記情報提供装置に送信し、前記要約関連情報受信手段によって前記要約再生情報及び前記付加画面情報を受信した後、前記検索画面から利用者によって要約内容が選択された場合には、前記指定条件情報として、前記指定条件入力手段によって入力された前記キーワード、前記タイトルＩＤ、前記視聴可能時間情報及び前記配信方法ＩＤとともに、前記検索画面から利用者が選択した要約内容を示す選択情報ＩＤを有する指定条件情報を前記情報提供装置に送信する処理を繰り返し、
前記フレーム検索手段は、前記操作手段によって再生する要約が確定したことが指示されたことに基づき、受信された最新の前記要約再生情報を用いてフレームを抽出する
情報利用装置。
【請求項１２】
前記要約再生情報は、前記放送内容要約情報を構成するフレームのフレーム番号と、該フレームが放送された放送時刻と、を示す識別子を有する
請求項１１記載の情報利用装置。
【請求項１３】
前記配信方法ＩＤは、前記指定条件情報が送信された時刻、毎日決められた時刻、或いは配信可能となった時刻、のいずれかから選択された前記付加画面情報及び前記要約再生情報の配信を希望するタイミングを示す
請求項１１記載の情報利用装置。
【請求項１４】
前記要約関連情報受信手段は、前記付加画面情報及び前記要約再生情報とともに配信された前記付加画面情報及び前記要約再生情報を指定した前記キーワード、前記タイトルＩＤ及び前記選択情報ＩＤを受信し、
前記要約関連情報受信手段によって受信された前記キーワード、前記タイトルＩＤ及び前記選択情報ＩＤを用い、受信した前記付加画面情報及び前記要約再生情報の認証を行う要約関連情報認証手段をさらに有する
請求項１１記載の情報利用装置。
【請求項１５】
前記要約関連情報受信手段は、提供された個人広告情報を受信する
請求項１１記載の情報利用装置。
【請求項１６】
前記個人広告情報は、電子通信装置を用いて接続することができる電子通信網の通信アドレスを有する
請求項１５記載の情報利用装置。
【請求項１７】
前記画像再生手段によって前記放送内容要約情報が再生されたことを示す視聴結果情報を、前記情報提供装置に返送する視聴結果情報返送手段をさらに有する
請求項１１記載の情報利用装置。
【請求項１８】
放送内容情報を要約した放送内容要約情報を提供する情報提供システムにおいて、
放送内容情報を要約した放送内容要約情報を提供する情報提供装置と、前記放送内容要約情報を利用する情報利用装置とを有し、
前記情報提供装置は、
前記放送内容情報の要約内容を示す要約再生情報を格納する要約再生情報格納手段と、
前記要約再生情報に対応づけて作成されており前記要約再生情報に示される要約内容をさらに詳細に選択する選択枝を有する検索画面を表示するための付加画面情報を格納する付加画面情報格納手段と、
送信された指定条件情報に従って、前記要約再生情報格納手段から特定の前記要約再生情報を抽出する要約再生情報検索手段と、
前記要約再生情報検索手段によって抽出された前記要約再生情報に対応する前記付加画面情報を、前記付加画面情報格納手段から抽出する付加画面情報抽出手段と、
前記指定条件情報に従って、前記要約再生情報検索手段によって抽出された前記要約再生情報を短縮する要約内容短縮手段と、
前記付加画面情報抽出手段によって抽出された前記付加画面情報、及び前記要約内容短縮手段によって短縮された前記要約再生情報を前記指定条件情報に指定されたタイミングで前記情報利用装置に配信する要約再生配信手段と
を有し、
前記情報利用装置は
前記放送内容情報を格納する放送内容情報格納手段と、
提供を希望する前記放送内容要約情報の前記指定条件情報を入力する指定条件入力手段と、
前記指定条件情報を前記情報提供装置に送信する指定条件情報送信手段と、
前記情報提供装置から配信された前記要約再生情報及び前記付加画面情報を受信する要約関連情報受信手段と、
前記要約関連情報受信手段によって受信された前記付加画面情報を用い、前記検索画面の表示を行う付加画面表示手段と、
再生する要約が確定したことを指示する操作手段と、
前記要約関連情報受信手段によって受信された前記要約再生情報を用い、前記放送内容情報格納手段に格納されている前記放送内容情報から、前記放送内容要約情報を構成するフレームを抽出するフレーム検索手段と、
前記フレーム検索手段によって抽出された前記フレームを再生する画像再生手段と
を有し、
前記情報利用装置の前記指定条件入力手段は、前記指定条件情報として、キーワード、放送単位を指定するタイトルＩＤ、視聴可能時間情報、及び配信方法を示す配信方法ＩＤを有する指定条件情報を入力可能であり、
前記情報利用装置の前記指定条件情報送信手段は、前記情報利用装置の前記要約関連情報受信手段によって前記要約再生情報及び前記付加画面情報を受信する前は、前記指定条件入力手段によって入力された前記指定条件情報を前記情報提供装置に送信し、前記要約関連情報受信手段によって前記要約再生情報及び前記付加画面情報を受信した後、前記検索画面から利用者によって要約内容が選択された場合には、前記指定条件情報として、前記指定条件入力手段によって入力された前記キーワード、前記タイトルＩＤ、前記視聴可能時間情報及び前記配信方法ＩＤとともに、前記検索画面から利用者が選択した要約内容を示す選択情報ＩＤを有する指定条件情報を前記情報提供装置に送信する処理を繰り返し、
前記情報提供装置の前記要約再生情報検索手段は、前記情報提供装置の前記要約再生配信手段が前記付加画面情報及び短縮された前記要約再生情報を配信する前は、前記情報利用装置から送信された前記指定条件情報が有する前記キーワード及び前記タイトルＩＤに従って前記要約再生情報の抽出を行い、前記要約再生配信手段が前記付加画面情報及び短縮された前記要約再生情報を配信した後に前記指定条件情報が前記情報利用装置から送信された場合には、送信された前記指定条件情報が有する前記キーワード、前記タイトルＩＤ及び前記選択情報ＩＤに従って前記要約再生情報の抽出を行う処理を繰り返し、
前記情報利用装置の前記フレーム検索手段は、前記操作手段によって再生する要約が確定したことが指示されたことに基づき、受信された最新の前記要約再生情報を用いてフレームを抽出する
情報提供システム。
【請求項１９】
前記情報利用装置は、
前記画像再生手段によって前記放送内容要約情報が再生されたことを示す視聴結果情報を、前記情報提供装置に返送する視聴結果情報返送手段をさらに有し、
前記情報提供装置は、
前記視聴結果情報を回収する視聴結果回収手段と、
前記視聴結果情報の統計である視聴統計情報を作成し、顧客の管理を行う顧客管理手段をさらに有する
請求項１８記載の情報提供システム。
【請求項２０】
前記放送内容情報を放送内容ごとに分類して格納する放送内容情報格納手段と、
前記放送内容情報を加工するためのテンプレート情報を格納した情報加工サーバと、
前記放送内容情報格納手段に格納された前記放送内容情報、及び前記情報加工サーバに格納された前記テンプレート情報を抽出して振り分ける素材情報蓄積サーバと、
前記素材情報蓄積サーバによって振り分けられた前記放送内容情報及び前記テンプレート情報を用い、前記要約再生情報を作成する情報加工手段と
を有する情報加工装置
をさらに有する請求項１８記載の情報提供システム。
【請求項２１】
放送内容情報を要約した放送内容要約情報を提供する情報提供装置における情報提供方法において、
前記情報提供装置に設けられた制御手段が、前記放送内容要約情報を利用する情報利用装置から利用者が指定したキーワード及び放送単位を指定するタイトルＩＤを有する指定条件情報が送信されたことに応じて、前記キーワード及び前記タイトルＩＤに従って、前記放送内容情報の要約内容を示す要約再生情報が格納された要約再生情報格納手段から、特定の前記要約再生情報を抽出し、
前記制御手段が、前記要約再生情報に対応づけて作成されており前記要約再生情報に示される要約内容をさらに詳細に選択する選択枝を有する検索画面を表示するための付加画面情報が格納された付加画面情報格納手段から、抽出した前記要約再生情報に対応する前記付加画面情報を抽出し、
前記制御手段が、抽出した前記要約再生情報を前記指定条件情報に従って短縮し、
前記制御手段が、抽出した前記付加画面情報及び短縮した前記要約再生情報を前記指定条件情報に指定されたタイミングで前記情報利用装置に配信し、
前記制御手段が、前記配信の後、前記指定条件情報として、前記キーワード及び前記タイトルＩＤとともに前記検索画面から利用者が選択した要約内容を示す選択情報ＩＤを有する指定条件情報が前記情報利用装置から送信された場合には、前記キーワード、前記タイトルＩＤ及び前記選択情報ＩＤに従って前記要約再生情報格納手段から特定の前記要約再生情報を抽出し、抽出した前記要約再生情報に対応する前記付加画面情報を前記付加画面情報格納手段から抽出し、抽出した前記要約再生情報を前記指定条件情報に従って短縮し、抽出した前記付加画面情報及び短縮した前記要約再生情報を前記指定条件情報に指定されたタイミングで前記情報利用装置に配信する処理を繰り返す
情報提供方法。
【請求項２２】
放送内容情報を要約した放送内容要約情報を利用する情報利用装置における情報利用方法において、
前記情報利用装置に設けられた制御手段が、提供を希望する前記放送内容要約情報を指定する指定条件情報であって利用者が指定したキーワード、放送単位を指定するタイトルＩＤ、視聴可能時間情報、及び配信方法を示す配信方法ＩＤを有する指定条件情報が入力されたことに応じて、前記指定条件情報を、前記放送内容要約情報を提供する情報提供装置に送信し、
前記制御手段が、前記放送内容情報の要約内容を示す要約再生情報、及び前記要約再生情報に対応づけられており前記要約再生情報に示される要約内容をさらに詳細に選択する選択枝を有する検索画面を表示するための付加画面情報が前記情報提供装置から配信されたことに応じて前記要約再生情報及び前記付加画面情報を受信し、
前記制御手段が、受信した前記付加画面情報を用いて前記検索画面の表示を行い、
前記制御手段が、前記検索画面から利用者によって要約内容が選択された場合には、前記指定条件情報として、前記キーワード、前記タイトルＩＤ、前記視聴可能時間情報及び前記配信方法ＩＤとともに前記検索画面から利用者が選択した要約内容を示す選択情報ＩＤを有する指定条件情報を前記情報提供装置に送信して、前記情報提供装置から配信された前記要約再生情報及び前記付加画面情報を受信し、受信した前記付加画面情報を用いて前記検索画面の表示を行う処理を繰り返し、
前記制御手段が、再生する要約が確定したことが指示されたことに基づき、受信した最新の前記要約再生情報を用い、前記放送内容情報が格納された放送内容情報格納手段から、前記放送内容要約情報を構成するフレームを抽出し、
前記制御手段が、抽出された前記フレームを再生する
情報利用方法。
【請求項２３】
放送内容情報を要約した放送内容要約情報を利用する情報利用装置から、利用者が指定したキーワード及び放送単位を指定するタイトルＩＤを有する指定条件情報が送信されたことに応じて、前記キーワード及び前記タイトルＩＤに従って、放送内容情報の要約内容を示す要約再生情報が格納された要約再生情報格納手段から、特定の前記要約再生情報を抽出し、
前記要約再生情報に対応づけて作成されており前記要約再生情報に示される要約内容をさらに詳細に選択する選択枝を有する検索画面を表示するための付加画面情報が格納された付加画面情報格納手段から、抽出した前記要約再生情報に対応する前記付加画面情報を抽出し、
抽出した前記要約再生情報を前記指定条件情報に従って短縮し、
抽出した前記付加画面情報及び短縮した前記要約再生情報を前記指定条件情報に指定されたタイミングで前記情報利用装置に配信し、
前記配信の後、前記指定条件情報として、前記キーワード及び前記タイトルＩＤとともに前記検索画面から利用者が選択した要約内容を示す選択情報ＩＤを有する指定条件情報が前記情報利用装置から送信された場合には、前記キーワード、前記タイトルＩＤ及び前記選択情報ＩＤに従って前記要約再生情報格納手段から特定の前記要約再生情報を抽出し、抽出した前記要約再生情報に対応する前記付加画面情報を前記付加画面情報格納手段から抽出し、抽出した前記要約再生情報を前記指定条件情報に従って短縮し、抽出した前記付加画面情報及び短縮した前記要約再生情報を前記指定条件情報に指定されたタイミングで前記情報利用装置に配信する処理を繰り返す機能
をコンピュータに行わせるプログラムを格納した記録媒体。
【請求項２４】
放送内容情報を要約した放送内容要約情報のうち提供を希望する放送内容要約情報を指定する指定条件情報であって利用者が指定したキーワード、放送単位を指定するタイトルＩＤ、視聴可能時間情報、及び配信方法を示す配信方法ＩＤを有する指定条件情報が入力されたことに応じて、前記指定条件情報を、前記放送内容要約情報を提供する情報提供装置に送信し、
前記放送内容情報の要約内容を示す要約再生情報、及び前記要約再生情報に対応づけられており前記要約再生情報に示される要約内容をさらに詳細に選択する選択枝を有する検索画面を表示するための付加画面情報が前記情報提供装置から配信されたことに応じて前記要約再生情報及び前記付加画面情報を受信し、
受信した前記付加画面情報を用いて前記検索画面の表示を行い、
前記検索画面から利用者によって要約内容が選択された場合には、前記指定条件情報として、前記キーワード、前記タイトルＩＤ、前記視聴可能時間情報及び前記配信方法ＩＤとともに前記検索画面から利用者が選択した要約内容を示す選択情報ＩＤを有する指定条件情報を前記情報提供装置に送信して、前記情報提供装置から配信された前記要約再生情報及び前記付加画面情報を受信し、受信した前記付加画面情報を用いて前記検索画面の表示を行う処理を繰り返し、
再生する要約が確定したことが指示されたことに基づき、受信した最新の前記要約再生情報を用い、前記放送内容情報が格納された放送内容情報格納手段から、前記放送内容要約情報を構成するフレームを抽出し、
抽出された前記フレームを再生する機能
をコンピュータに行わせるプログラムを格納した記録媒体。
【発明の詳細な説明】
【０００１】
【発明の属する技術分野】
本発明は、放送内容情報を要約した放送内容要約情報を提供する情報提供装置、情報利用装置、情報提供システム、情報提供方法、情報利用方法及び記録媒体に関し、特に、利用者の指定に応じた放送内容要約情報の提供を行う情報提供装置、情報利用装置、情報提供システム、情報提供方法、情報利用方法及び記録媒体に関する。
【０００２】
【従来の技術】
家庭に提供される番組放送の選択は、視聴者がチャンネルを切り替えながら行うか、事前に新聞等に発表される番組表を閲覧し、希望する番組を選択して視聴することが一般的である。また、同時刻に別チャンネルで視聴を希望する２つ以上の番組が存在する場合、ビデオテープ、記録装置等に番組内容を記録しておき、記録した番組を時間をずらして視聴することも行われている。さらに、視聴を希望する番組放送時間に視聴を行えない場合には、事前に番組放時間に合わせて番組内容の予約記録設定を行っておき、番組の自動録画を行い、後に記録内容を再生して番組を視聴する方法も採られている。
【０００３】
【発明が解決しようとする課題】
しかし、従来の番組記録方法では、記録した番組内容を実際に視聴するまで記録した内容を知ることができず、視聴する番組の選択が困難であるという問題点がある。
【０００４】
近年、放送メディアの多様化、衛星デジタル放送等のデジタル放送の導入により、家庭で受信できる番組数が急激に増加している。このように、視聴できる番組数が増加した場合、放送内容を記録し、その内容を視聴する機会もますます増加するものと思われる。しかし、同時に、多種多様に存在する放送番組からどの番組を選択して視聴するかということが重要となってくる。従来の方法では、番組に関する情報は、番組表等に記されたわずかな情報以外、実際に番組を視聴してみなければ知ることできない。そのため、今後、受信番組数がさらに増加すると予想される状況下において、限られた視聴可能時間内に、真に視聴者が希望する番組を選択し、視聴するということはますます困難になるものと思われる。
【０００５】
また、従来の方法では、視聴者が実際にどのような番組を視聴したかという個人情報を収集することができないという問題点がある。
従来は、視聴者がどのような番組を視聴したかという個人情報は、アンケート等によって回収できるにすぎず、各視聴者の個人情報を回収し、その統計情報をもとに、各視聴者に適合したサービスを提供するということはできなかった。
【０００６】
本発明はこのような点に鑑みてなされたものであり、記録した番組内容を短時間で認知させることによって視聴する番組の選択を容易にし、また、番組を視聴する視聴者の個人情報を回収することができる情報提供装置を提供することを目的とする。
【０００７】
また、本発明の他の目的は、記録した番組内容を短時間で認知させることによって視聴する番組の選択を容易にし、また、番組を視聴する視聴者の個人情報を提供することができる情報利用装置を提供することである。
【０００８】
また、本発明の他の目的は、記録した番組内容を短時間で認知させることによって視聴する番組の選択を容易にし、また、番組を視聴する視聴者の個人情報を回収することができる情報提供システムを提供することである。
【０００９】
さらに、本発明の他の目的は、記録した番組内容を短時間で認知させることによって視聴する番組の選択を容易にし、また、番組を視聴する視聴者の個人情報を回収することができる情報提供方法を提供することである。
【００１０】
また、本発明の他の目的は、記録した番組内容を短時間で認知させることによって視聴する番組の選択を容易にし、また、番組を視聴する視聴者の個人情報を提供することができる情報利用方法を提供することである。
【００１１】
さらに、本発明の他の目的は、記録した番組内容を短時間で認知させることによって視聴する番組の選択を容易にし、また、番組を視聴する視聴者の個人情報を回収することができる機能をコンピュータに行わせるプログラムを格納した記録媒体を提供することである。
【００１２】
【課題を解決するための手段】
本発明では上記課題を解決するために、放送内容情報を要約した放送内容要約情報を提供する情報提供装置において、
前記放送内容情報の要約内容を示す要約再生情報を格納する要約再生情報格納手段と、
前記要約再生情報に対応づけて作成されており前記要約再生情報に示される要約内容をさらに詳細に選択する選択枝を有する検索画面を表示するための付加画面情報を格納する付加画面情報格納手段と、
送信された指定条件情報に従って、前記要約再生情報格納手段から特定の前記要約再生情報を抽出する要約再生情報検索手段と、
前記要約再生情報検索手段によって抽出された前記要約再生情報に対応する前記付加画面情報を、前記付加画面情報格納手段から抽出する付加画面情報抽出手段と、
前記指定条件情報に従って、前記要約再生情報検索手段によって抽出された前記要約再生情報を短縮する要約内容短縮手段と、
前記付加画面情報抽出手段によって抽出された前記付加画面情報、及び前記要約内容短縮手段によって短縮された前記要約再生情報を、前記指定条件情報に指定されたタイミングで、前記放送内容要約情報を利用する情報利用装置に配信する要約再生配信手段と、を有し、
前記要約再生情報検索手段は、前記要約再生配信手段が前記付加画面情報及び短縮された前記要約再生情報を配信する前は、利用者が指定したキーワード及び放送単位を指定するタイトルＩＤを有する前記指定条件情報が前記情報利用装置から送信されたことに応じて、前記キーワード及び前記タイトルＩＤに従って前記要約再生情報の抽出を行い、前記要約再生配信手段が前記付加画面情報及び短縮された前記要約再生情報を配信した後、前記指定条件情報として、前記キーワード及び前記タイトルＩＤとともに前記検索画面から利用者が選択した要約内容を示す選択情報ＩＤを有する指定条件情報が前記情報利用装置から送信された場合には、前記キーワード、前記タイトルＩＤ及び前記選択情報ＩＤに従って前記要約再生情報の抽出を行う処理を繰り返す情報提供装置が提供される。
【００１３】
ここで、要約再生情報格納手段は、放送内容情報の要約内容を示す要約再生情報を格納し、付加画面情報格納手段は、要約再生情報に対応づけて作成されており要約再生情報に示される要約内容をさらに詳細に選択する選択枝を有する検索画面を表示するための付加画面情報を格納し、要約再生情報検索手段は、送信された指定条件情報に従って、要約再生情報格納手段から特定の要約再生情報を抽出し、付加画面情報抽出手段は、要約再生情報検索手段によって抽出された要約再生情報に対応する付加画面情報を付加画面情報格納手段から抽出し、要約内容短縮手段は、指定条件情報に従って、要約再生情報検索手段によって抽出された要約再生情報を短縮し、要約再生配信手段は、付加画面情報抽出手段によって抽出された付加画面情報、及び要約内容短縮手段によって短縮された要約再生情報を、指定条件情報に指定されたタイミングで、放送内容要約情報を利用する情報利用装置に配信する。そして、要約再生情報検索手段は、要約再生配信手段が付加画面情報及び短縮された要約再生情報を配信する前は、利用者が指定したキーワード及び放送単位を指定するタイトルＩＤを有する指定条件情報が情報利用装置から送信されたことに応じて、キーワード及びタイトルＩＤに従って要約再生情報の抽出を行い、要約再生配信手段が付加画面情報及び短縮された要約再生情報を配信した後、指定条件情報として、キーワード及びタイトルＩＤとともに検索画面から利用者が選択した要約内容を示す選択情報ＩＤを有する指定条件情報が情報利用装置から送信された場合には、キーワード、タイトルＩＤ及び選択情報ＩＤに従って要約再生情報の抽出を行う処理を繰り返す。
【００１４】
また、放送内容の要約が再生されたことを示す視聴結果情報を回収する視聴結果回収手段と、視聴結果情報の統計である視聴統計情報を作成し、顧客の管理を行う顧客管理手段をさらに有することを特徴とする情報提供装置が提供される。
【００１５】
ここで、視聴結果回収手段は、放送内容の要約が再生されたことを示す視聴結果情報を回収し、顧客管理手段は、視聴結果情報の統計である視聴統計情報を作成し、顧客の管理を行う。
【００１６】
さらに、放送内容情報を要約した放送内容要約情報を利用する情報利用装置において、
前記放送内容情報を格納する放送内容情報格納手段と、
提供を希望する前記放送内容要約情報の指定条件情報を入力する指定条件入力手段と、
前記指定条件情報を、前記放送内容要約情報を提供する情報提供装置に送信する指定条件情報送信手段と、
前記指定条件情報に応じて前記情報提供装置から配信された前記放送内容情報の要約を示す要約再生情報、及び前記要約再生情報に対応づけられており前記要約再生情報に示される要約内容をさらに詳細に選択する選択枝を有する検索画面を表示するための付加画面情報を受信する要約関連情報受信手段と、
前記要約関連情報受信手段によって受信された前記付加画面情報を用い、前記検索画面の表示を行う付加画面表示手段と、
再生する要約が確定したことを指示する操作手段と、
前記要約関連情報受信手段によって受信された前記要約再生情報を用い、前記放送内容情報格納手段に格納されている前記放送内容情報から、前記放送内容要約情報を構成するフレームを抽出するフレーム検索手段と、
前記フレーム検索手段によって抽出された前記フレームを再生する画像再生手段と、を有し、
前記指定条件入力手段は、前記指定条件情報として、キーワード、放送単位を指定するタイトルＩＤ、視聴可能時間情報、及び配信方法を示す配信方法ＩＤを有する指定条件情報を入力可能であり、
前記指定条件情報送信手段は、前記要約関連情報受信手段によって前記要約再生情報及び前記付加画面情報を受信する前は、前記指定条件入力手段によって入力された前記指定条件情報を前記情報提供装置に送信し、前記要約関連情報受信手段によって前記要約再生情報及び前記付加画面情報を受信した後、前記検索画面から利用者によって要約内容が選択された場合には、前記指定条件情報として、前記指定条件入力手段によって入力された前記キーワード、前記タイトルＩＤ、前記視聴可能時間情報及び前記配信方法ＩＤとともに、前記検索画面から利用者が選択した要約内容を示す選択情報ＩＤを有する指定条件情報を前記情報提供装置に送信する処理を繰り返し、
前記フレーム検索手段は、前記操作手段によって再生する要約が確定したことが指示されたことに基づき、受信された最新の前記要約再生情報を用いてフレームを抽出する情報利用装置が提供される。
【００１７】
ここで、放送内容情報格納手段は、放送内容情報を格納し、指定条件入力手段は、提供を希望する放送内容要約情報の指定条件情報を入力し、指定条件情報送信手段は、指定条件情報を、放送内容要約情報を提供する情報提供装置に送信し、要約関連情報受信手段は、指定条件情報に応じて情報提供装置から配信された放送内容情報の要約を示す要約再生情報、及び要約再生情報に対応づけられており要約再生情報に示される要約内容をさらに詳細に選択する選択枝を有する検索画面を表示するための付加画面情報を受信し、付加画面表示手段は、要約関連情報受信手段によって受信された付加画面情報を用いて検索画面の表示を行い、フレーム検索手段は、要約関連情報受信手段によって受信された要約再生情報を用い、放送内容情報格納手段に格納されている放送内容情報から、放送内容要約情報を構成するフレームを抽出し、画像再生手段は、フレーム検索手段によって抽出されたフレームを再生する。そして、指定条件入力手段は、指定条件情報として、キーワード、放送単位を指定するタイトルＩＤ、視聴可能時間情報、及び配信方法を示す配信方法ＩＤを有する指定条件情報を入力可能であり、指定条件情報送信手段は、要約関連情報受信手段によって要約再生情報及び付加画面情報を受信する前は、指定条件入力手段によって入力された指定条件情報を情報提供装置に送信し、要約関連情報受信手段によって要約再生情報及び付加画面情報を受信した後、検索画面から利用者によって要約内容が選択された場合には、指定条件情報として、指定条件入力手段によって入力されたキーワード、タイトルＩＤ、視聴可能時間情報及び配信方法ＩＤとともに、検索画面から利用者が選択した要約内容を示す選択情報ＩＤを有する指定条件情報を情報提供装置に送信する処理を繰り返し、フレーム検索手段は、操作手段によって再生する要約が確定したことが指示されたことに基づき、受信された最新の要約再生情報を用いてフレームを抽出する。
【００１８】
また、画像再生手段によって放送内容要約情報が再生されたことを示す視聴結果情報を、情報提供装置に返送する視聴結果情報返送手段をさらに有することを特徴とする情報利用装置が提供される。
【００１９】
ここで、視聴結果情報返送手段は、画像再生手段によって放送内容要約情報が再生されたことを示す視聴結果情報を、情報提供装置に返送する。
【００２１】
また、放送内容情報を要約した放送内容要約情報を提供する情報提供システムにおいて、
放送内容情報を要約した放送内容要約情報を提供する情報提供装置と、前記放送内容要約情報を利用する情報利用装置とを有し、
前記情報提供装置は、
前記放送内容情報の要約内容を示す要約再生情報を格納する要約再生情報格納手段と、
前記要約再生情報に対応づけて作成されており前記要約再生情報に示される要約内容をさらに詳細に選択する選択枝を有する検索画面を表示するための付加画面情報を格納する付加画面情報格納手段と、
送信された指定条件情報に従って、前記要約再生情報格納手段から特定の前記要約再生情報を抽出する要約再生情報検索手段と、
前記要約再生情報検索手段によって抽出された前記要約再生情報に対応する前記付加画面情報を、前記付加画面情報格納手段から抽出する付加画面情報抽出手段と、
前記指定条件情報に従って、前記要約再生情報検索手段によって抽出された前記要約再生情報を短縮する要約内容短縮手段と、
前記付加画面情報抽出手段によって抽出された前記付加画面情報、及び前記要約内容短縮手段によって短縮された前記要約再生情報を前記指定条件情報に指定されたタイミングで前記情報利用装置に配信する要約再生配信手段と
を有し、
前記情報利用装置は
前記放送内容情報を格納する放送内容情報格納手段と、
提供を希望する前記放送内容要約情報の前記指定条件情報を入力する指定条件入力手段と、
前記指定条件情報を前記情報提供装置に送信する指定条件情報送信手段と、
前記情報提供装置から配信された前記要約再生情報及び前記付加画面情報を受信する要約関連情報受信手段と、
前記要約関連情報受信手段によって受信された前記付加画面情報を用い、前記検索画面の表示を行う付加画面表示手段と、
再生する要約が確定したことを指示する操作手段と、
前記要約関連情報受信手段によって受信された前記要約再生情報を用い、前記放送内容情報格納手段に格納されている前記放送内容情報から、前記放送内容要約情報を構成するフレームを抽出するフレーム検索手段と、
前記フレーム検索手段によって抽出された前記フレームを再生する画像再生手段と
を有し、
前記情報利用装置の前記指定条件入力手段は、前記指定条件情報として、キーワード、放送単位を指定するタイトルＩＤ、視聴可能時間情報、及び配信方法を示す配信方法ＩＤを有する指定条件情報を入力可能であり、
前記情報利用装置の前記指定条件情報送信手段は、前記情報利用装置の前記要約関連情報受信手段によって前記要約再生情報及び前記付加画面情報を受信する前は、前記指定条件入力手段によって入力された前記指定条件情報を前記情報提供装置に送信し、前記要約関連情報受信手段によって前記要約再生情報及び前記付加画面情報を受信した後、前記検索画面から利用者によって要約内容が選択された場合には、前記指定条件情報として、前記指定条件入力手段によって入力された前記キーワード、前記タイトルＩＤ、前記視聴可能時間情報及び前記配信方法ＩＤとともに、前記検索画面から利用者が選択した要約内容を示す選択情報ＩＤを有する指定条件情報を前記情報提供装置に送信する処理を繰り返し、
前記情報提供装置の前記要約再生情報検索手段は、前記情報提供装置の前記要約再生配信手段が前記付加画面情報及び短縮された前記要約再生情報を配信する前は、前記情報利用装置から送信された前記指定条件情報が有する前記キーワード及び前記タイトルＩＤに従って前記要約再生情報の抽出を行い、前記要約再生配信手段が前記付加画面情報及び短縮された前記要約再生情報を配信した後に前記指定条件情報が前記情報利用装置から送信された場合には、送信された前記指定条件情報が有する前記キーワード、前記タイトルＩＤ及び前記選択情報ＩＤに従って前記要約再生情報の抽出を行う処理を繰り返し、
前記情報利用装置の前記フレーム検索手段は、前記操作手段によって再生する要約が確定したことが指示されたことに基づき、受信された最新の前記要約再生情報を用いてフレームを抽出する情報提供システムが提供される。
【００２２】
ここで、要約再生情報格納手段は、放送内容情報の要約内容を示す要約再生情報を格納し、付加画面情報格納手段は、要約再生情報に対応づけて作成されており要約再生情報に示される要約内容をさらに詳細に選択する選択枝を有する検索画面を表示するための付加画面情報を格納し、要約再生情報検索手段は、送信された指定条件情報に従って、要約再生情報格納手段から特定の要約再生情報を抽出し、付加画面情報抽出手段は、要約再生情報検索手段によって抽出された要約再生情報に対応する付加画面情報を付加画面情報格納手段から抽出し、要約内容短縮手段は、指定条件情報に従って、要約再生情報検索手段によって抽出された要約再生情報を短縮し、要約再生配信手段は、付加画面情報抽出手段によって抽出された付加画面情報、及び要約内容短縮手段によって短縮された要約再生情報を指定条件情報に指定されたタイミングで情報利用装置に配信し、放送内容情報格納手段は、放送内容情報を格納し、指定条件入力手段は、提供を希望する放送内容要約情報の指定条件情報を入力し、指定条件情報送信手段は、指定条件情報を情報提供装置に送信し、要約関連情報受信手段は、情報提供装置から配信された要約再生情報及び付加画面情報を受信し、付加画面表示手段は、要約関連情報受信手段によって受信された付加画面情報を用いて検索画面の表示を行い、フレーム検索手段は、要約関連情報受信手段によって受信された要約再生情報を用い、放送内容情報格納手段に格納されている放送内容情報から、放送内容要約情報を構成するフレームを抽出し、画像再生手段は、フレーム検索手段によって抽出されたフレームを再生する。そして、情報利用装置の指定条件入力手段は、指定条件情報として、キーワード、放送単位を指定するタイトルＩＤ、視聴可能時間情報、及び配信方法を示す配信方法ＩＤを有する指定条件情報を入力可能であり、情報利用装置の指定条件情報送信手段は、情報利用装置の要約関連情報受信手段によって要約再生情報及び付加画面情報を受信する前は、指定条件入力手段によって入力された指定条件情報を情報提供装置に送信し、要約関連情報受信手段によって要約再生情報及び付加画面情報を受信した後、検索画面から利用者によって要約内容が選択された場合には、指定条件情報として、指定条件入力手段によって入力されたキーワード、タイトルＩＤ、視聴可能時間情報及び配信方法ＩＤとともに、検索画面から利用者が選択した要約内容を示す選択情報ＩＤを有する指定条件情報を情報提供装置に送信する処理を繰り返し、情報提供装置の要約再生情報検索手段は、情報提供装置の要約再生配信手段が付加画面情報及び短縮された要約再生情報を配信する前は、情報利用装置から送信された指定条件情報が有するキーワード及びタイトルＩＤに従って要約再生情報の抽出を行い、要約再生配信手段が付加画面情報及び短縮された要約再生情報を配信した後に指定条件情報が情報利用装置から送信された場合には、送信された指定条件情報が有するキーワード、タイトルＩＤ及び選択情報ＩＤに従って要約再生情報の抽出を行う処理を繰り返し、情報利用装置のフレーム検索手段は、操作手段によって再生する要約が確定したことが指示されたことに基づき、受信された最新の要約再生情報を用いてフレームを抽出する。
【００２３】
さらに、放送内容情報を要約した放送内容要約情報を提供する情報提供装置における情報提供方法において、
前記情報提供装置に設けられた制御手段が、前記放送内容要約情報を利用する情報利用装置から利用者が指定したキーワード及び放送単位を指定するタイトルＩＤを有する指定条件情報が送信されたことに応じて、前記キーワード及び前記タイトルＩＤに従って、前記放送内容情報の要約内容を示す要約再生情報が格納された要約再生情報格納手段から、特定の前記要約再生情報を抽出し、
前記制御手段が、前記要約再生情報に対応づけて作成されており前記要約再生情報に示される要約内容をさらに詳細に選択する選択枝を有する検索画面を表示するための付加画面情報が格納された付加画面情報格納手段から、抽出した前記要約再生情報に対応する前記付加画面情報を抽出し、
前記制御手段が、抽出した前記要約再生情報を前記指定条件情報に従って短縮し、
前記制御手段が、抽出した前記付加画面情報及び短縮した前記要約再生情報を前記指定条件情報に指定されたタイミングで前記情報利用装置に配信し、
前記制御手段が、前記配信の後、前記指定条件情報として、前記キーワード及び前記タイトルＩＤとともに前記検索画面から利用者が選択した要約内容を示す選択情報ＩＤを有する指定条件情報が前記情報利用装置から送信された場合には、前記キーワード、前記タイトルＩＤ及び前記選択情報ＩＤに従って前記要約再生情報格納手段から特定の前記要約再生情報を抽出し、抽出した前記要約再生情報に対応する前記付加画面情報を前記付加画面情報格納手段から抽出し、抽出した前記要約再生情報を前記指定条件情報に従って短縮し、抽出した前記付加画面情報及び短縮した前記要約再生情報を前記指定条件情報に指定されたタイミングで前記情報利用装置に配信する処理を繰り返す情報提供方法が提供される。
【００２４】
このようにすることにより、視聴者が指定した条件で放送内容情報の要約を作成し、視聴者に提供することができる。
また、放送内容情報を要約した放送内容要約情報を利用する情報利用装置における情報利用方法において、
前記情報利用装置に設けられた制御手段が、提供を希望する前記放送内容要約情報を指定する指定条件情報であって利用者が指定したキーワード、放送単位を指定するタイトルＩＤ、視聴可能時間情報、及び配信方法を示す配信方法ＩＤを有する指定条件情報が入力されたことに応じて、前記指定条件情報を、前記放送内容要約情報を提供する情報提供装置に送信し、
前記制御手段が、前記放送内容情報の要約内容を示す要約再生情報、及び前記要約再生情報に対応づけられており前記要約再生情報に示される要約内容をさらに詳細に選択する選択枝を有する検索画面を表示するための付加画面情報が前記情報提供装置から配信されたことに応じて前記要約再生情報及び前記付加画面情報を受信し、
前記制御手段が、受信した前記付加画面情報を用いて前記検索画面の表示を行い、
前記制御手段が、前記検索画面から利用者によって要約内容が選択された場合には、前記指定条件情報として、前記キーワード、前記タイトルＩＤ、前記視聴可能時間情報及び前記配信方法ＩＤとともに前記検索画面から利用者が選択した要約内容を示す選択情報ＩＤを有する指定条件情報を前記情報提供装置に送信して、前記情報提供装置から配信された前記要約再生情報及び前記付加画面情報を受信し、受信した前記付加画面情報を用いて前記検索画面の表示を行う処理を繰り返し、
前記制御手段が、再生する要約が確定したことが指示されたことに基づき、受信した最新の前記要約再生情報を用い、前記放送内容情報が格納された放送内容情報格納手段から、前記放送内容要約情報を構成するフレームを抽出し、
前記制御手段が、抽出された前記フレームを再生する情報利用方法が提供される。
【００２５】
このようにすることにより、視聴者が指定した条件で作成された放送内容情報の要約を再生し、番組内容の概要を把握することが可能となる。
さらに、放送内容情報を要約した放送内容要約情報を利用する情報利用装置から、利用者が指定したキーワード及び放送単位を指定するタイトルＩＤを有する指定条件情報が送信されたことに応じて、前記キーワード及び前記タイトルＩＤに従って、放送内容情報の要約内容を示す要約再生情報が格納された要約再生情報格納手段から、特定の前記要約再生情報を抽出し、
前記要約再生情報に対応づけて作成されており前記要約再生情報に示される要約内容をさらに詳細に選択する選択枝を有する検索画面を表示するための付加画面情報が格納された付加画面情報格納手段から、抽出した前記要約再生情報に対応する前記付加画面情報を抽出し、
抽出した前記要約再生情報を前記指定条件情報に従って短縮し、
抽出した前記付加画面情報及び短縮した前記要約再生情報を前記指定条件情報に指定されたタイミングで前記情報利用装置に配信し、
前記配信の後、前記指定条件情報として、前記キーワード及び前記タイトルＩＤとともに前記検索画面から利用者が選択した要約内容を示す選択情報ＩＤを有する指定条件情報が前記情報利用装置から送信された場合には、前記キーワード、前記タイトルＩＤ及び前記選択情報ＩＤに従って前記要約再生情報格納手段から特定の前記要約再生情報を抽出し、抽出した前記要約再生情報に対応する前記付加画面情報を前記付加画面情報格納手段から抽出し、抽出した前記要約再生情報を前記指定条件情報に従って短縮し、抽出した前記付加画面情報及び短縮した前記要約再生情報を前記指定条件情報に指定されたタイミングで前記情報利用装置に配信する処理を繰り返す機能をコンピュータに行わせるプログラムを格納した記録媒体が提供される。
【００２６】
この記録媒体に格納されたプログラムをコンピュータ上で実行させることにより、視聴者が指定した条件で放送内容情報の要約を作成し、視聴者に提供することができる。
【００２７】
また、放送内容情報を要約した放送内容要約情報のうち提供を希望する放送内容要約情報を指定する指定条件情報であって利用者が指定したキーワード、放送単位を指定するタイトルＩＤ、視聴可能時間情報、及び配信方法を示す配信方法ＩＤを有する指定条件情報が入力されたことに応じて、前記指定条件情報を、前記放送内容要約情報を提供する情報提供装置に送信し、
前記放送内容情報の要約内容を示す要約再生情報、及び前記要約再生情報に対応づけられており前記要約再生情報に示される要約内容をさらに詳細に選択する選択枝を有する検索画面を表示するための付加画面情報が前記情報提供装置から配信されたことに応じて前記要約再生情報及び前記付加画面情報を受信し、
受信した前記付加画面情報を用いて前記検索画面の表示を行い、
前記検索画面から利用者によって要約内容が選択された場合には、前記指定条件情報として、前記キーワード、前記タイトルＩＤ、前記視聴可能時間情報及び前記配信方法ＩＤとともに前記検索画面から利用者が選択した要約内容を示す選択情報ＩＤを有する指定条件情報を前記情報提供装置に送信して、前記情報提供装置から配信された前記要約再生情報及び前記付加画面情報を受信し、受信した前記付加画面情報を用いて前記検索画面の表示を行う処理を繰り返し、
再生する要約が確定したことが指示されたことに基づき、受信した最新の前記要約再生情報を用い、前記放送内容情報が格納された放送内容情報格納手段から、前記放送内容要約情報を構成するフレームを抽出し、
抽出された前記フレームを再生する機能をコンピュータに行わせるプログラムを格納した記録媒体が提供される。
【００２８】
この記録媒体に格納されたプログラムをコンピュータ上で実行させることにより、視聴者が指定した条件で作成された放送内容情報の要約を再生し、番組内容の概要を把握することが可能となる。
【００２９】
【発明の実施の形態】
以下、本発明の実施の形態を図面を参照して説明する。
図１は、本形態における情報提供システム１の構成を示した構成図である。
【００３０】
情報提供システム１は、放送内容情報を要約した放送内容要約情報を提供する情報提供装置２、放送内容要約情報を利用する情報利用装置３、各種情報の伝達を行う電子通信手段４、放送内容情報の要約内容を示す要約再生情報を作成する情報加工装置５、及び情報提供システム１の利用に係る利用代金の決済を行う金融決済機関６によって構成されている。
【００３１】
ここで、情報提供装置２は情報提供システム１を提供する事業者等が所有し、視聴者が共有して利用する共有設備の１つとして設置され、情報利用装置３は、情報提供システム１を利用する視聴者が所有し、視聴者の家庭等に設置される。また、放送内容情報とは、放送局から放送される番組自体の映像情報等のことであり、複数のヘッダ及びフレームによって構成されている。この詳細については後述する。
【００３２】
情報提供装置２は、情報利用装置３から送られた指定条件情報を受信する指定条件受信手段２ａ、放送内容情報の要約内容を示す要約再生情報を格納する要約再生情報格納手段２ｄ、要約再生情報に対応づけて作成された付加画面情報を格納する付加画面情報格納手段２ｅ、送信された指定条件情報に従って、要約再生情報格納手段２ｄから特定の要約再生情報を抽出する要約再生情報検索手段２ｃ、要約再生情報検索手段２ｃによって抽出された要約再生情報に対応する付加画面情報を、付加画面情報格納手段２ｅから抽出する付加画面情報抽出手段２ｆ、指定条件情報に従って、要約再生情報検索手段２ｃによって抽出された要約再生情報を短縮する要約内容短縮手段２ｂ、付加画面情報抽出手段２ｆによって抽出された付加画面情報、及び要約内容短縮手段２ｂによって短縮された要約再生情報を指定条件情報に指定されたタイミングで配信する要約再生配信手段２ｇ、放送内容の要約が再生されたことを示す視聴結果情報を回収する視聴結果回収手段２ｈ、視聴結果情報の統計である視聴統計情報を作成し、顧客の管理を行う顧客管理手段２ｉ、課金情報を金融決済機関６に送信する課金情報送信手段２ｊ、利用者に提供する広告情報を格納する広告情報格納手段２ｋ、及び視聴統計情報に基づき、広告情報格納手段２ｋから利用者別に選択された個人広告情報を抽出する広告選択手段２ｌによって構成されている。
【００３３】
ここで、指定条件情報とは、視聴者が提供を希望する放送内容要約情報の作成条件、配信条件等を示す情報であり、視聴者が情報利用装置３を用いて入力し、情報提供装置２に送信される。この詳細については後述する。要約再生情報とは、放送内容要約情報を特定するための識別子であり、放送内容要約情報を構成するフレームのフレーム番号、及びそのフレームが放送された放送時刻に関する情報によって構成される。この詳細については後述する。付加画面情報とは、情報提供装置２から情報利用装置３に送信される情報の１つであり、情報利用装置３は、この情報を元に要約作成条件等を入力する検索画面を表示する。この詳細については後述する。課金情報とは、各視聴者別に管理された情報提供システム１の利用代金情報である。個人広告情報とは、個人の嗜好等を元に選択された広告情報である。
【００３４】
情報利用装置３は、放送内容情報を格納する放送内容情報格納手段３ｆ、提供を希望する放送内容要約情報の指定条件情報を入力する指定条件入力手段３ａ、指定条件情報を送信する指定条件情報送信手段３ｂ、指定条件情報に応じて配信された放送内容情報の要約を示す要約再生情報、及び要約再生情報に対応づけられた付加画面情報等を受信する要約関連情報受信手段３ｃ、受信した付加画面情報及び要約再生情報の認証を行う要約関連情報認証手段３ｄ、要約関連情報受信手段３ｃによって受信された付加画面情報を用い、付加画面の表示を行う付加画面表示手段３ｅ、要約関連情報受信手段３ｃによって受信された要約再生情報を用い、放送内容情報格納手段３ｆに格納されている放送内容情報から、放送内容要約情報を構成するフレームを抽出するフレーム検索手段３ｇ、フレーム検索手段３ｇによって抽出されたフレームを再生する画像再生手段３ｈ、及び画像再生手段３ｈによって放送内容要約情報が再生されたことを示す視聴結果情報を情報提供装置２に返送する視聴結果情報返送手段３ｉによって構成されている。
【００３５】
電子通信手段４は、インターネット等の電子通信ネットワークであり、情報提供装置２、情報利用装置３及び金融決済機関６の間での情報通信を可能としている。
【００３６】
情報加工装置５は、放送内容情報を加工して要約再生情報を作成し、さらに、それに対応する付加画面情報を作成する。
金融決済機関６は、情報提供装置２から送信された課金情報をもとに、情報提供システム１の利用代金の決済を行う。
【００３７】
図２は、放送内容情報１０の詳細構成を示した図である。
放送内容情報１０は、記録された情報の属性を示した複数のヘッダ１１、及び各ヘッダ１１に対応する画像情報等である複数のフレーム１２によって構成されている。ヘッダ１１は、それに対応するフレーム１２の放送時刻を示したタイムスタンプ１１ａ、及びそのフレーム１２の放送内容情報１０における位置を示すフレーム番号１１ｂを識別子として有している。図２のヘッダ１１の場合、タイムスタンプ１１ａは、“２０：１８：３５”となり、フレーム番号１１ｂは、“：２４”となるが、これは、ヘッダ１１に対応するフレーム１２が、２０時１８分３５秒に放送された２４番目のフレームであることを意味している。
【００３８】
図３は、情報提供装置２と情報利用装置３との間でやりとりが行われる情報の詳細を示した図である。ここで、図３の（ａ）は指定条件情報２０の構成を、（ｂ）は要約関連情報２１の構成を、（ｃ）は視聴結果情報２２の構成をそれぞれ示している。
【００３９】
指定条件情報２０は、視聴者或いは情報利用装置３を認証するための認証情報２０ａ、視聴者によって指定された配信方法を示す配信方法ＩＤ２０ｂ、視聴者が指定した視聴者が要約を視聴することができる時間の長さを示す視聴可能時間情報２０ｃ、番組等を意味する放送単位を指定するタイトルＩＤ２０ｄ、視聴者が提供を希望する放送内容要約情報を指定するために視聴者が指定したキーワード２０ｅ、及び視聴者が選択した要約内容を示す選択情報ＩＤ２０ｆを有している。ここで、配信方法とは、情報提供装置２から情報利用装置３へ要約再生情報等を配信するタイミング、つまり、情報利用装置３から情報提供装置２へ指定条件情報２０が送信された時刻に配信するか、毎日決まった時刻に配信するか、配信可能となった時刻に配信するか等を意味し、配信方法ＩＤ２０ｂは、これらから選択されたいずれかのタイミングを示すこととなる。要約関連情報２１は、情報利用装置３から送信された指定条件情報２０に応じ、情報提供装置２が情報利用装置３へ配信する情報であり、視聴者はこの情報を用いて要約の視聴、要約の詳細選択等を行う。要約関連情報２１は、要約再生情報２１ａ、タイトルＩＤ２１ｂ、キーワード２１ｃ及び付加画面情報２１ｄを有している。ここで、要約再生情報２１ａは、図２に示した放送内容情報１０のヘッダ１１が有する識別子であるタイムスタンプ１１ａ及びフレーム番号１１ｂによって構成されている。また、タイトルＩＤ２１ｂ及びキーワード２１ｃは、情報利用装置３から送信された指定条件情報２０が有するタイトルＩＤ２０ｄ及びキーワード２０ｅを情報利用装置３へ返送したものであり、情報提供装置２における要約再生情報２１ａ及び付加画面情報２１ｄの抽出に利用した情報である。
【００４０】
視聴結果情報２２は、視聴者或いは情報利用装置３を認証するための認証情報２２ａ、再生された放送内容要約情報の抽出に用いられたタイトルＩＤ２２ｂ、キーワード２２ｃ、及び選択情報ＩＤ２２ｄ等を有している。これらの情報は、再生された要約内容及びそれを視聴した視聴者を示すこととなる。
【００４１】
次に、図１から図３までを用い、情報提供システム１の動作について説明する。
まず、放送内容要約情報の提供の前提として、情報加工装置５において要約再生情報２１ａ及び付加画面情報２１ｄを作成する。
【００４２】
上述のように要約再生情報２１ａは、放送内容情報１０のヘッダ１１が有する識別子である。情報加工装置５は、放送前の放送内容情報１０或いは放送された放送内容情報１０を、有線・無線による受信、或いは物流によって受け取り、その放送内容情報１０から、要約を構成するフレーム１２を選択し、そのフレーム１２のヘッダ１１に含まれるタイムスタンプ１１ａ及びフレーム番号１１ｂを識別子として抽出し、それに検索のためのキーワード等を付加して要約再生情報２１ａを作成する。ここで、タイムスタンプ１１ａ及びフレーム番号１１ｂの抽出方法としては、要約を構成する個々のフレーム１２に対応するすべてのタイムスタンプ１１ａ及びフレーム番号１１ｂを抽出することとしてもよく、また、フレーム１２が連続する場合においては、その最初のフレーム１２及び最後のフレーム１２に係るタイムスタンプ１１ａ及びフレーム番号１１ｂを抽出することとしてもよく、さらには、これらを混在させた方法で抽出を行うこととしてもよい。一方、付加画面情報２１ｄは、上述のように作成された要約再生情報２１ａに関連づけて作成され、関連づけられた要約再生情報２１ａに示される要約の内容をさらに詳細に選択する選択画面等によって構成される。
【００４３】
このように作成された要約再生情報２１ａ及び付加画面情報２１ｄは、情報提供装置２の要約再生情報格納手段２ｄ及び付加画面情報格納手段２ｅに送られ、それぞれ格納される。
【００４４】
一方、視聴者は、新聞等に発表された番組表、或いは放送局から送信された番組表を閲覧し、視聴を希望する番組の記録設定を行う。そして、記録設定された番組が放送されると、その放送内容情報１０は、図示していない視聴者の受信装置で受信され、情報利用装置３の放送内容情報格納手段３ｆに格納される。なお、ここで、受信装置とは、情報利用装置３に内蔵され一体化される形態、及び情報利用装置３と別個に構成される形態の両形態を含む。
【００４５】
記録設定された番組の要約の視聴を希望する視聴者は、まず、指定条件入力手段３ａを用いて、指定条件情報２０の入力を行う。ここでの指定条件情報２０の入力は、情報提供装置２における要約再生情報２１ａ及び付加画面情報２１ｄの格納前或いは後どちらに行ってもよく、また、情報利用装置３における放送内容情報１０の格納前或いは後どちらに行ってもよい。また、ここで入力する項目は、配信方法ＩＤ２０ｂとなる配信方法、視聴可能時間情報２０ｃとなる視聴可能時間、タイトルＩＤ２０ｄとなる番組のタイトル、及びキーワード２０ｅである。認証情報２０ａに関する情報は、視聴者或いは情報利用装置３によって一義的に決定されるため、ここで入力する必要はなく、また、選択情報ＩＤ２０ｆに関する情報は、後述する付加画面の表示に従って行われるため、同じくここでは入力されない。
【００４６】
このように入力された指定条件情報２０は、指定条件情報送信手段３ｂに送られ、指定条件情報送信手段３ｂは、入力された指定条件情報２０を電子通信手段４を介して情報提供装置２に送信する。
【００４７】
送信された指定条件情報２０は、情報提供装置２の指定条件受信手段２ａによって受信され、指定条件受信手段２ａは、指定条件情報２０の認証情報２０ａを用いて指定条件情報２０の認証を行う。要約再生情報検索手段２ｃは、指定条件受信手段２ａによって受信された指定条件情報２０のタイトルＩＤ２０ｄ、キーワード２０ｅ及び選択情報ＩＤ２０ｆを参照し、それらによって特定される要約再生情報２１ａを要約再生情報格納手段２ｄから抽出する。また、要約内容短縮手段２ｂは、受信された指定条件情報２０の視聴可能時間情報２０ｃを参照し、要約再生情報検索手段２ｃによって抽出された要約再生情報２１ａの短縮を行う。要約再生情報２１ａの短縮は、要約再生情報２１ａを元に再生される要約の再生時間が、視聴可能時間情報２０ｃに示された視聴可能時間内に収まるように行われ、具体的には、放送内容要約情報を構成するフレームを間引きすべく、間引きするフレームに対応する要約再生情報２１ａの識別子を省略等することにより行われる。間引きの具体的な方法としては、例えば、抽出された要約再生情報２１ａを元に再生される要約の再生時間を１とした場合、再生時間が０．８倍、０．６倍、０．４倍となるような短縮率の要約再生情報２１ａを予め作成しておき、それらの中から視聴可能時間に収まる要約再生情報２１ａを選択することによって行う。そして、このように短縮された要約再生情報２１ａは、要約再生配信手段２ｇに送られることとなる。
【００４８】
また、付加画面情報抽出手段２ｆは、要約再生情報検索手段２ｃによって検索された要約再生情報２１ａを参照し、それに対応する付加画面情報２１ｄを付加画面情報格納手段２ｅから抽出する。このように抽出された付加画面情報２１ｄは、要約再生配信手段２ｇに送られる。
【００４９】
要約内容短縮手段２ｂ及び付加画面情報抽出手段２ｆから要約再生情報２１ａ及び付加画面情報２１ｄを送られた要約再生配信手段２ｇは、指定条件受信手段２ａによって受信された指定条件情報２０のタイトルＩＤ２１ｂ及びキーワード２１ｃを取得し、これらによって要約関連情報２１を構成するとともに、指定条件情報２０の配信方法ＩＤ２０ｂを参照し、それに示された配信方法に従って要約関連情報２１を送信する。送信された要約関連情報２１は、電子通信手段４を介して情報利用装置３に配信される。
【００５０】
配信された要約関連情報２１は、情報利用装置３の要約関連情報受信手段３ｃによって受信され、受信された要約関連情報２１は、要約関連情報認証手段３ｄによって認証が行われる。ここでの認証とは、配信された要約関連情報２１が、指定条件入力手段３ａによって指定した要約内容に適合しているか否かを判断する動作であり、具体的には、要約関連情報２１のタイトルＩＤ２１ｂ及びキーワード２１ｃが、指定条件入力手段３ａによって入力されたタイトルＩＤ及びキーワードと一致するか否かによって判断される。
【００５１】
受信した要約関連情報２１が指定した要約内容に適合していると判断されると、付加画面表示手段３ｅは、要約関連情報２１の付加画面情報２１ｄを用い、要約作成条件等を入力する検索画面の表示を行う。検索画面は、送信された要約再生情報２１ａに示される要約の内容をさらに詳細に選択するための選択肢を有しており、この選択肢から条件を選択することによって新たな指定条件を付加することができる。この選択肢から選択された条件は、指定条件入力手段３ａから入力されることとなり、このように入力された条件は、最初に入力されたその他の指定条件とともに、指定条件情報２０の選択情報ＩＤ２０ｆとして、再び、指定条件情報送信手段３ｂから電子通信手段４を介して情報提供装置２に送信されることとなる。新たな指定条件情報２０が送信された情報提供装置２は、最初に指定条件情報２０が送信された場合と同様に、この新たな指定条件情報２０を用いて新たな要約関連情報２１を作成する。このように作成された要約関連情報２１は、新たに加えられた指定条件となる選択情報ＩＤの内容をも参酌して作成されたものとなるため、最初に作成されたものよりもさらに視聴者の希望を詳細に反映した内容となる。このように作成された要約関連情報２１は、最初の場合と同様に、電子通信手段４を介して情報利用装置３に配信され、その後、要約関連情報認証手段３ｄによって認証が行われ、再び、付加画面表示手段３ｅによって検索画面が表示されることとなる。ここでの検索画面は、新たに作成された要約関連情報２１の付加画面情報２１ｄを元に作成されることとなるため、最初の場合よりも、さらに詳細な指定条件を示した選択肢を表示することとなる。このように、付加画面表示手段３ｅによって表示される検索画面に従い、順次、条件を選択していくことにより、段階的に指定範囲を絞り込みながら指定条件情報２０の入力、送信を行い、それに対応した要約関連情報２１を受信することが可能となる。
【００５２】
このように指定条件の絞り込みを行い指定条件が確定した場合、或いは絞り込みを行わずとも指定条件が確定している場合、視聴者は、再生する要約が確定した旨の指示を与え、この指示があった場合、フレーム検索手段３ｇは、最新の要約関連情報２１の要約再生情報２１ａを用いて、放送内容情報格納手段３ｆから放送内容要約情報を構成するフレームの抽出を行う。上述したように、要約再生情報２１ａは、放送内容情報１０のヘッダ１１が有するタイムスタンプ１１ａ及びフレーム番号１１ｂによって構成されているため、フレーム検索手段３ｇは、この要約再生情報２１ａを参酌することにより、それに対応するフレーム１２を確定することができ、確定したそのフレーム１２を放送内容情報格納手段３ｆに格納された放送内容情報１０から抽出することが可能となる。
【００５３】
このようにフレーム検索手段３ｇによって抽出されたフレーム１２は、画像再生手段３ｈによって再生され、これにより視聴者は、指定した条件に応じた番組の要約を視聴することが可能となる。
【００５４】
このように要約が再生された場合、視聴結果情報返送手段３ｉは、特定の要約が再生された旨を情報提供装置２に返送する。この返送は、図３の（ｃ）に示した視聴結果情報２２を電子通信手段４を介して情報提供装置２に送信することにより行われる。送信された視聴結果情報２２は、情報提供装置２の視聴結果回収手段２ｈによって受信され、顧客管理手段２ｉは、視聴結果回収手段２ｈによって受信された視聴結果情報２２を元にその統計である視聴統計情報を作成し、顧客の管理を行う。これにより、視聴者個人の視聴情報を回収することが可能となり、各視聴者に適合したサービスの提供を行うことができ、また、その情報を放送局に提供することにより、視聴者の嗜好をより反映した番組制作を行うことが可能となる。
【００５５】
情報提供システム１の利用代金等の課金処理を行う場合、課金情報送信手段２ｊは、電子通信手段４を介し、課金情報を金融決済機関６に送信する。ここで課金情報とは、顧客管理手段２ｉによって管理されている視聴統計情報を元に作成されるデータであり、各視聴者のデータ、及び各視聴者に課金される利用代金等を確定するデータ等を有している。
【００５６】
また、上述のように広告情報格納手段２ｋには、各種の広告情報が記録されており、広告選択手段２ｌは、顧客管理手段２ｉによって管理されている視聴統計情報を元に、広告情報格納手段２ｋから広告情報の選択を行う。ここで、広告情報には、放送局から放送される放送内容に関する広告だけではなく、電子通信装置を用いて接続することができる電子通信網の通信アドレス、例えば、インターネットのホームページアドレス等の情報も含む。広告選択手段２ｌで選択された広告情報は、要約再生配信手段２ｇによって電子通信手段４を介し、各視聴者の情報利用装置３に送られる。これにより、各視聴者の嗜好に応じた広告情報を個人別に提供することが可能となる。
【００５７】
次に、情報提供システム１の具体例について説明する。
図４は、情報提供システム１の具体例である情報提供システム３０の構成を示した構成図である。
【００５８】
情報提供システム３０は、情報提供装置３２、情報利用装置３３、電子通信手段３４、情報加工装置３５、及び放送局等に設置され放送内容情報の送信を行う放送情報送信装置３１によって構成され、電子通信手段３４を介して金融決済機関３６に接続される。ここで、放送情報送信装置３１から送信された放送内容情報は、放送通信路３７を経由し、放送利用装置３３に送信される。
【００５９】
図５は、情報提供装置３２の構成を示した構成図である。
情報提供装置３２は、各種の情報を記録するＲＡＭ（random access memory）等の半導体メモリ等である記録装置３２ａ、情報提供装置３２全体の制御を行う情報制御装置３２ｂ、情報提供装置３２を構成する各装置の基本的入出力の設定に使用する情報が記録された補助記憶装置３２ｃ、各種情報の入力を行う入力装置３２ｄ、提供する要約画像等の各種情報を表示する表示装置３２ｅ、及び電子通信手段３４と接続され、情報の送受信を行う送受信装置３２ｆによって構成されている。
【００６０】
ここで、記録装置３２ａは、要約再生情報のデータベースである要約再生情報データベース３２ａａ、付加画面情報のデータベースである付加画面情報データベース３２ａｂ、要約再生情報データベース３２ａａから特定の要約再生情報を検索するサーチエンジンプログラムである要約再生情報検索用情報３２ａｃ、広告情報３２ａｄ、指定された視聴可能時間情報に基づいて要約再生情報の短縮を行うプログラムである要約内容短縮用情報３２ａｅ、視聴者から指定された配信方法情報ａｆ、視聴統計情報３２ａｇ及び情報提供装置３２の制御に用いられる情報であるシステム制御情報３２ａｈを格納している。
【００６１】
また、表示装置３２ｅは、表示装置３２ｅに表示される画像等のビットマップデータが記録される記憶装置３２ｅａを有している。記憶装置３２ｅａには、ＲＡＭ或いはＲＯＭ（read only memory）等の半導体メモリ等を使用する。
【００６２】
図６は、情報利用装置３３の構成を示した構成図である。
情報利用装置３３は、各種の情報を記録する記録装置３３ａ、情報利用装置３３全体の制御を行う情報制御装置３３ｂ、情報利用装置３３を構成する各装置の基本的入出力の設定に使用する情報が記録された補助記憶装置３３ｃ、指定条件情報等の各種情報の入力を行う入力装置３３ｄ、要約画像等の各種情報を表示する表示装置３３ｅ、及び電子通信手段３４と接続され、情報の送受信を行う送受信装置３３ｆによって構成されている。
【００６３】
ここで、記録装置３３ａは、放送情報送信装置３１から放送通信路３７を経由して送信され情報利用装置３３によってダウンロードされた複数の放送内容情報３３ａａ、データ群を閲覧し、目的に応じた情報を取り出すために用いるソフトウェアであるブラウザ用情報３３ａｂ、ダウンロードされた放送内容情報３３ａａから特定の放送内容情報を検索するサーチエンジンプログラムである放送内容情報検索用情報３３ａｃ、及び情報利用装置３３の制御に用いられる情報であるシステム制御情報３３ａｄを格納している。
【００６４】
また、表示装置３３ｅは、表示装置３３ｅに表示される画像等のビットマップデータが記録される記憶装置３３ｅａを有している。
図７は、情報加工装置３５の構成を示した構成図である。
【００６５】
情報加工装置３５は、放送内容情報を放送内容ごとに分類して格納する放送内容情報格納手段であるデータベース３５ａ〜３５ｄ、放送内容情報を加工するためのテンプレート情報３５ｅａを格納した情報加工サーバ３５ｅ、データベース３５ａ〜３５ｄに格納された放送内容情報、及び情報加工サーバ３５ｅに格納されたテンプレート情報３５ｅａを抽出して振り分ける素材情報蓄積サーバである自動系素材情報蓄積サーバ３５ｊ、放送内容のシーンチェンジごとに放送内容の子画面を作成する情報素材割付テーブル３５ｊａ、自動系素材情報蓄積サーバ３５ｊによって振り分けられた放送内容情報及びテンプレート情報３５ｅａを用い、要約再生情報を作成する情報加工手段である情報変換装置３５ｆ〜３５ｉ、要約再生情報を作成するためにオペレータが手動入力を行う加工用端末３５ｍ〜３５ｏ、データベース３５ａ〜３５ｄに格納された放送内容情報を加工用端末３５ｍ〜３５ｏの入力に応じて抽出する手動系素材情報加工サーバ３５ｌ、及び情報加工装置３５全体の運用管理を行う運用管理装置３５ｋによって構成されている。
【００６６】
次に、図４から図７を用い、情報提供システム３０の動作について説明する。
情報加工装置３５は、受信等により取得した放送内容情報を分野ごとに分類してデータベースに格納する。図７の場合、スポーツ番組に関する放送内容情報はスポーツ情報データベース３５ａに、コマーシャルに関する放送内容情報はコマーシャル情報データベース３５ｂに、緊急ニュースに関する放送内容情報は緊急ニュースデータベース３５ｃに、報道番組に関する放送内容情報は報道情報データベース３５ｄにそれぞれ格納される。
【００６７】
情報加工装置３５は、データベース３５ａ〜３５ｄに格納された放送内容情報を用いて要約再生情報の作成を行うのであるが、ここで、放送内容情報は、その内容によって、画一的な処理によって要約再生情報に加工できるものと、そうでないものとに分類でき、それぞれ要約再生情報の加工方法が異なる。
【００６８】
放送内容情報が画一的に処理できる内容のものであった場合、自動系素材情報蓄積サーバ３５ｊは、データベース３５ａ〜３５ｄから放送内容情報を抽出し、抽出した放送内容情報を分野別に情報変換装置３５ｆ〜３５ｉに振り分ける。なお、この際振り分けられる放送内容情報は、放送内容のシーンチェンジごとに情報素材割付テーブル３５ｊａによって作成された放送内容の子画面である。また、この際、情報加工サーバ３５ｅから各放送内容情報に対応したテンプレート情報３５ｅａを抽出し、同様に情報変換装置３５ｆ〜３５ｉに振り分ける。ここで、テンプレート情報３５ｅａとは、放送内容情報から要約再生情報を作成する際に用いる画枠である。放送内容情報及びテンプレート情報３５ｅａが振り分けられた情報変換装置３５ｆ〜３５ｉは、テンプレート情報３５ｅａを用いて放送内容情報を加工し、加工後の情報の識別子を抽出し、さらにキーワード等を付加して要約再生情報を作成する。
【００６９】
一方、放送内容情報が画一的に処理できる内容のものでなかった場合、手動系素材情報加工サーバ３５ｌにより、データベース３５ａ〜３５ｄから放送内容情報を抽出し、抽出された放送内容情報をオペレータが、加工用端末３５ｍ〜３５ｏを用いて手動で加工入力し、同様に加工後の情報の識別子を抽出し、さらにキーワード等を付加して要約再生情報を作成する。
【００７０】
次に、情報加工装置３５は、上述のように作成された要約再生情報に対応した付加画面情報の作成を行う。付加画面情報の作成は、オペレータが加工用端末３５ｍ〜３５ｏを用いて行う。
【００７１】
このように作成された要約再生情報及び付加画面情報は、情報提供装置３２に送られ、情報提供装置３２の記録装置３２ａにそれぞれ要約再生情報データベース３２ａａ及び付加画面情報データベース３２ａｂとして格納される。
【００７２】
一方、視聴者は、情報利用装置３３を用い、視聴を希望する番組の放送内容情報の記録設定を行う。上述のように補助記憶装置３２ｃには、各装置の基本的な入出力を設定するための情報が記憶されており、まず情報制御装置３２ｂは、補助記憶装置３２ｃからこの情報を読み出し情報利用装置３３の初期設定が行われる。その後、情報制御装置３２ｂは、記録装置３２ａからシステム制御情報３２ａｈを読み込み、番組の放送内容情報の記録設定が可能となる。視聴者が記録設定を行い、記録設定された番組が、放送情報送信装置３１から送信されると、その放送内容情報は放送通信路３７を経由して、図示していない視聴者の受信機で受信され、記録装置３３ａに放送内容情報３３ａａとして記録される。
【００７３】
記録設定された番組の要約の視聴を希望する視聴者は、まず、ブラウザ用情報３３ａｂを用いて表示装置３３ｅに表示された入力画面に従い、入力装置３３ｄを用いて指定条件情報の入力を行う。図８及び図９は、指定条件情報の入力時において表示装置３３ｅに表示される表示画面例である。
【００７４】
図８は、記録設定された番組リストの表示画面であり、スクロールボタン４０ｃ等を操作し、要約の視聴を希望する番組の選択を行う。ここで、表示されている番組の選択肢の中から番組を選択し、要約の視聴を希望する場合には、選択ボタン４０ｂをクリックし、番組を確定する。図８の例ではタイトル“プロ野球  人巨対浜横”が選択されている。一方、例えば、表示されている選択肢よりもさらに下位に属するような番組が存在し、その下位に属する番組の選択を行う場合には、詳細ボタン４０ａをクリックし、下位に属する番組の選択肢を表示させ、その選択肢からの番組決定を行う。
【００７５】
選択ボタン４０ｂがクリックされ、番組が決定した場合、次に、図９に示される詳細指定画面が表示される。詳細指定画面では、要約を作成する際に用いるキーワードを入力するキーワード入力欄４０ｄ、複数入力されたキーワードによる検索条件を定める“ＡＮＤ”、“ＯＲ”からなる論理条件４０ｈ、及び視聴可能時間を入力する視聴可能時間入力欄４０ｅが設けられ、これらの欄にキーワード、視聴可能時間の入力、及び論理条件の選択が行われる。このように入力が終了すると、表示欄４０ｆに、入力された視聴可能時間がキーワードに指定された放送時間に対してどの程度の長さになるかが表示される。図９の例では、キーワードとして“井松”及び“ホームラン”が入力され、論理条件４０ｈとして、キーワード“井松”及び“ホームラン”の両条件を必要とすることを示す“ＡＮＤ”が選択され、視聴可能時間として“１０分”が入力され、表示欄４０ｆには、入力された視聴可能時間がキーワードに指定された放送時間に対して１／３相当であることが示されている。そして、入力項目を確認し、確定しようとする場合、確認ボタン４０ｇをクリックし、これにより指定条件情報の入力が終了する。なお、図９では、キーワード入力欄４０ｄ、論理条件４０ｈ及び視聴可能時間入力欄４０ｅのすべての項目において入力及び選択が行われることとしたが、少なくとも１つの項目において入力或いは選択が行われないこととしてもよい。この場合、入力或いは選択されなかった項目については、限定を行わずに検索されることとなる。
【００７６】
このように入力された指定条件情報は、情報制御装置３３ｂに送られ、情報制御装置３３ｂは、送られた指定条件情報を送受信装置３３ｆに送り、送受信装置３３ｆは、電子通信手段３４を介して、指定条件情報を情報提供装置３２に送信する。
【００７７】
送信された指定条件情報は、情報提供装置３２の送受信装置３２ｆによって受信され、受信された指定条件情報は、情報制御装置３２ｂに送られる。指定条件情報を受け取った情報制御装置３２ｂは、指定条件情報の認証情報を用いて指定条件情報の認証を行う。認証が終了すると、情報制御装置３２ｂは、記録装置３２ａに記録された要約再生情報検索用情報３２ａｃを用い、送信された指定条件情報に適合する要約再生情報を要約再生情報データベース３２ａａから抽出する。要約再生情報の抽出が終了すると、情報制御装置３２ｂは、記録装置３２ａに記録された要約内容短縮用情報３２ａｅを用い、指定条件情報に従って抽出した要約再生情報の短縮を行う。また、情報制御装置３２ｂは、抽出された要約再生情報に対応する付加画面情報を付加画面情報データベース３２ａｂから抽出する。
【００７８】
このように抽出され、短縮された要約再生情報、及びそれに対応する付加画面情報は、指定条件情報に含まれるタイトルＩＤ及びキーワードとともに、要約関連情報として、送受信装置３２ｆから電子通信手段３４を介して情報利用装置３３に配信される。ここでの配信は、情報制御装置３２ｂが、記録装置３２ａに格納されている配信方法情報３２ａｆを用い、指定条件情報に含まれる配信方法ＩＤに従って確定される方法で行われる。
【００７９】
配信された要約関連情報は、情報利用装置３３の送受信装置３３ｆによって受信され、情報制御装置３３ｂに送られる。要約関連情報が送られた情報制御装置３３ｂは、まず、送られた要約関連情報の認証を行う。認証が終了すると、情報制御装置３３ｂは、記録装置３３ａに格納されているブラウザ用情報３３ａｂを用い、要約関連情報に含まれる付加画面情報の検索画面を表示装置３３ｅに表示させる。検索画面の表示は、ブラウザ用情報３３ａｂ及び付加画面情報を用いて、記憶装置３３ｅａに検索画面のビットマップデータを形成し、このように形成されたビットマップデータを順次読み出して走査させることにより行われる。
【００８０】
図１０は、表示装置３３ｅに表示される検索画面の様子を示した概念図である。図８に示すように検索画面は、背景であるシーンオブジャクト４０及びその上に表示される付加オブジャクト４１によって構成される。シーンオブジャクト４０は、予め情報利用装置３３内部に記録されたデータに基づいて表示される画面であり、検索画面に共通する選択ボタン等もこのシーンオブジャクト４０に含まれる。付加オブジャクト４１は、送付された付加画面情報に基づいて形成される画面であり、各要約再生情報に対応した検索情報等が表示される。
【００８１】
図１１は、このように表示される検索画面の表示例である。
この画面では、シーンオブジャクト４０として、詳細ボタン４０ａ及び選択ボタン４０ｂが表示され、その上に付加オブジャクト４１として付加画面４１ａが重ねて表示されている。この付加画面４１ａは、図８及び図９に示した条件、タイトル“プロ野球  人巨対浜横”、キーワード“井松”、“ホームラン”、視聴可能時間“１０分”によって指定された指定条件情報によって作成された付加画面情報を元に表示されたものであり、“井松の全打席”、“今日のホームラン”等の複数の選択肢が表示される。この選択肢から選択を行い、その内容の要約の提供を希望する場合、選択ボタン４０ｂをクリックし、選択を行う。一方、さらに詳細な設定を行いたい場合には、詳細ボタン４０ａをクリックする。詳細ボタン４０ａが押された場合、その選択情報は、指定条件情報の選択情報ＩＤとして再び、情報提供装置３２に送信され、それを受けた情報提供装置３２は、その指定条件情報に対応した要約関連情報を配信し、情報制御装置３３ｂは、新たに受信した要約関連情報を用いて、新たな付加画面４１ａの表示を行う。
【００８２】
このように指定条件の絞り込みを行い指定条件が確定した場合、或いは絞り込みを行わずとも指定条件が確定し、選択ボタン４０ｂがクリックされると、情報制御装置３３ｂは、放送内容情報検索用情報３３ａｃを用い、要約再生情報に従って記録装置３３ａに格納された放送内容情報３３ａａから、放送内容要約情報を構成するフレームの抽出を行う。抽出されたフレームは、ブラウザ用情報３３ａｂを用いて表示装置３３ｅに表示再生される。
【００８３】
このように要約が再生された場合、情報制御装置３３ｂは、特定の要約が再生された旨を情報提供装置３２に返送する。この返送は、視聴結果情報を電子通信手段３４を介して情報提供装置３２に送信することにより行われる。送信された視聴結果情報は、情報提供装置３２の送受信装置３２ｆによって受信され、情報制御装置３２ｂに送られる。
【００８４】
視聴結果情報を送信された情報制御装置３２ｂは、送信された視聴結果情報を元に、視聴統計情報３２ａｇを作成し、記録装置３２ａに格納する。
情報提供システム３０の利用代金等の課金処理を行う場合、情報制御装置３２ｂは、電子通信手段３４を介し、課金情報を金融決済機関３６に送信する。また、情報制御装置３２ｂは、記録装置３２ａに格納されている視聴統計情報３２ａｇを元に、広告情報３２ａｄから各視聴者に送信する広告の選択を行う。
【００８５】
次に、フローチャートを用いて、情報提供システム動作について説明する。図１２は、情報提供システム３０の動作を示したフローチャートである。
〔Ｓ１〕  番組表等を参考にして番組の記録設定を行い、放送内容情報を受信し、情報利用装置において、受信した放送内容情報を記録装置に格納する。
【００８６】
〔Ｓ２〕  検索条件を指定し、指定した検索条件を指定条件情報として情報提供装置に送信する。
〔Ｓ３〕  情報提供装置において、指定条件情報の認証及び配信方法の確認を行う。
【００８７】
〔Ｓ４〕  指定条件情報に従い、要約再生情報及び付加画面情報をキーワード検索して抽出する。
〔Ｓ５〕  指定条件情報が有する視聴可能時間を参照し、ステップＳ４で抽出した要約再生情報を短縮する。
【００８８】
〔Ｓ６〕  ステップＳ５で短縮した要約再生情報、及びステップＳ４で抽出した付加画面情報等を情報利用装置に送信する。
〔Ｓ７〕  付加画面情報によってブラウザ画面を更新し、付加画面を表示する。
【００８９】
〔Ｓ８〕  さらに詳細な新たな検索を行うか否か選択する。さらに詳細な検索を行う場合には、ステップＳ２に進む。新たな検索を行わない場合には、ステップＳ９に進む。
【００９０】
〔Ｓ９〕  情報利用装置において、受信した要約再生情報に含まれる識別子であるタイムスタンプ等を参照し、要約の再生に必要な放送内容情報を検索する。
〔Ｓ１０〕  ステップ９で検索された放送内容情報により、放送内容要約情報を再生し、表示する。
【００９１】
〔Ｓ１１〕  要約の再生後に、視聴結果情報を情報提供装置に返送する。
〔Ｓ１２〕  情報提供装置において、返送された視聴結果情報を元に視聴結果の統計を作成する。
【００９２】
〔Ｓ１３〕  視聴統計に基づいて作成された課金情報を金融決済機関に送り、金融決済機関を通じて情報提供システムの利用代金等の課金処理を行う。
〔Ｓ１４〕  視聴統計に基づいて個人別の広告情報を選択し、個人別に広告情報を配信する。
【００９３】
〔Ｓ１５〕  視聴者が広告情報を視聴する。
このように、本形態では、情報提供装置において、放送内容情報の要約内容を示す要約再生情報を格納し、要約再生情報に対応づけて作成された付加画面情報を格納し、送信された指定条件情報に従って、特定の要約再生情報を抽出し、抽出した要約再生情報に対応する付加画面情報を抽出し、抽出した要約再生情報を指定条件情報に従って短縮し、抽出した付加画面情報及び短縮した要約再生情報を指定条件情報に指定されたタイミングで配信し、情報利用方法において、放送内容情報を格納し、提供を希望する放送内容要約情報の指定条件情報を入力し、指定条件情報を送信し、配信された要約再生情報及び付加画面情報を受信し、受信した付加画面情報を用いて付加画面の表示を行い、受信した要約再生情報を用い、格納されている放送内容情報から、放送内容要約情報を構成するフレームを抽出し抽出されたフレームを再生することとしたため、記録した番組内容を短時間で認知させることができ、視聴する番組の選択を容易することが可能となる。
【００９４】
また、本形態では、情報利用装置において要約が再生されたことを示す視聴結果情報を、情報利用装置から情報提供装置に送信し、情報提供装置は、その視聴結果情報を回収することとしたため、番組を視聴する視聴者の個人情報の収集が可能となり、各種個人向けのサービスの提供、視聴者の趣向情報の収集等が可能となる。
【００９５】
なお、上記の処理機能は、コンピュータによって実現することができる。その場合、情報提供装置及び情報利用装置が有すべき機能の処理内容は、コンピュータで読み取り可能な記録媒体に記録されたプログラムに記述しておく。そして、このプログラムをコンピュータで実行することにより、上記処理がコンピュータで実現される。コンピュータで読み取り可能な記録媒体としては、磁気記録装置や半導体メモリ等がある。市場に流通させる場合には、ＣＤ−ＲＯＭ(Compact Disk Read Only Memory)やフロッピーディスク等の可搬型記録媒体にプログラムを格納して流通させたり、ネットワークを介して接続されたコンピュータの記憶装置に格納しておき、ネットワークを通じて他のコンピュータに転送することもできる。コンピュータで実行する際には、コンピュータ内のハードディスク装置等にプログラムを格納しておき、メインメモリにロードして実行する。ここでコンピュータとは、特にパーソナルコンピュータには限定されず、少なくとも１つの処理装置を有し、プログラムによって制御されるコンピュータ一般を意味する。
【００９６】
【発明の効果】
以上説明したように本発明の情報提供装置では、要約再生情報格納手段によって、放送内容情報の要約内容を示す要約再生情報を格納し、付加画面情報格納手段によって、要約再生情報に対応づけて作成されており前記要約再生情報に示される要約内容をさらに詳細に選択する選択枝を有する検索画面を表示するための付加画面情報を格納し、要約再生情報検索手段によって、送信された指定条件情報に従って、要約再生情報格納手段から特定の要約再生情報を抽出し、付加画面情報抽出手段によって、要約再生情報検索手段によって抽出された要約再生情報に対応する付加画面情報を付加画面情報格納手段から抽出し、要約内容短縮手段によって、指定条件情報に従って、要約再生情報検索手段によって抽出された要約再生情報を短縮し、要約再生配信手段によって、付加画面情報抽出手段によって抽出された付加画面情報、及び要約内容短縮手段によって短縮された要約再生情報を指定条件情報に指定されたタイミングで情報利用装置に配信することとしたため、記録した番組内容を短時間で視聴者に認知させることが可能となり、視聴する番組の選択が容易になる。そして、要約再生情報検索手段は、要約再生配信手段が付加画面情報及び短縮された要約再生情報を配信する前は、利用者が指定したキーワード及び放送単位を指定するタイトルＩＤを有する指定条件情報が情報利用装置から送信されたことに応じて、キーワード及びタイトルＩＤに従って要約再生情報の抽出を行い、要約再生配信手段が付加画面情報及び短縮された要約再生情報を配信した後、指定条件情報として、キーワード及びタイトルＩＤとともに検索画面から利用者が選択した要約内容を示す選択情報ＩＤを有する指定条件情報が情報利用装置から送信された場合には、キーワード、タイトルＩＤ及び選択情報ＩＤに従って要約再生情報の抽出を行う処理を繰り返すこととしたため、視聴者は、表示される検索画面で要約内容を選択し、さらにその選択内容に従って新たに表示される検索画面で要約内容を選択する、という操作を順次行うことにより、段階的により詳細な要約内容を選択して、視聴者の希望を詳細に反映した要約再生情報を受信することができる。
【００９７】
また、本発明の情報提供装置では、視聴結果回収手段によって、放送内容の要約が再生されたことを示す視聴結果情報を回収し、顧客管理手段によって、視聴結果情報の統計である視聴統計情報を作成し、顧客の管理を行うこととしたため、番組を視聴する視聴者の個人情報を回収することが可能になる。
【００９８】
さらに、本発明の情報利用装置では、放送内容情報格納手段によって、放送内容情報を格納し、指定条件入力手段によって、提供を希望する放送内容要約情報の指定条件情報を入力し、指定条件情報送信手段によって、指定条件情報を情報提供装置に送信し、要約関連情報受信手段によって、指定条件情報に応じて情報提供装置から配信された放送内容情報の要約を示す要約再生情報、及び要約再生情報に対応づけられており要約再生情報に示される要約内容をさらに詳細に選択する選択枝を有する検索画面を表示するための付加画面情報を受信し、付加画面表示手段によって、要約関連情報受信手段によって受信された付加画面情報を用いて検索画面の表示を行い、フレーム検索手段によって、要約関連情報受信手段によって受信された要約再生情報を用い、放送内容情報格納手段に格納されている放送内容情報から、放送内容要約情報を構成するフレームを抽出し、画像再生手段によって、フレーム検索手段によって抽出されたフレームを再生することとしたため、記録した番組内容を短時間で視聴者に認知させることが可能となり、視聴する番組の選択が容易になる。そして、指定条件入力手段は、指定条件情報として、キーワード、放送単位を指定するタイトルＩＤ、視聴可能時間情報、及び配信方法を示す配信方法ＩＤを有する指定条件情報を入力可能であり、指定条件情報送信手段は、要約関連情報受信手段によって要約再生情報及び付加画面情報を受信する前は、指定条件入力手段によって入力された指定条件情報を情報提供装置に送信し、要約関連情報受信手段によって要約再生情報及び付加画面情報を受信した後、検索画面から利用者によって要約内容が選択された場合には、指定条件情報として、指定条件入力手段によって入力されたキーワード、タイトルＩＤ、視聴可能時間情報及び配信方法ＩＤとともに、検索画面から利用者が選択した要約内容を示す選択情報ＩＤを有する指定条件情報を情報提供装置に送信する処理を繰り返し、フレーム検索手段は、操作手段によって再生する要約が確定したことが指示されたことに基づき、受信された最新の要約再生情報を用いてフレームを抽出することとしたため、視聴者は、表示される検索画面で要約内容を選択し、さらにその選択内容に従って新たに表示される検索画面で要約内容を選択する、という操作を順次行うことにより、段階的により詳細な要約内容を選択して、視聴者の希望を詳細に反映した要約再生情報を受信することができる。
【００９９】
また、本発明の情報利用装置では、視聴結果情報返送手段によって、放送内容要約情報が再生されたことを示す視聴結果情報を、情報提供装置に返送することとしたため、番組を視聴する視聴者の個人情報を回収することが可能になる。
【０１０１】
また、本発明の情報提供システムでは、要約再生情報格納手段によって、放送内容情報の要約内容を示す要約再生情報を格納し、付加画面情報格納手段によって、要約再生情報に対応づけて作成されており要約再生情報に示される要約内容をさらに詳細に選択する選択枝を有する検索画面を表示するための付加画面情報を格納し、要約再生情報検索手段によって、送信された指定条件情報に従って、要約再生情報格納手段から特定の要約再生情報を抽出し、付加画面情報抽出手段によって、要約再生情報検索手段によって抽出された要約再生情報に対応する付加画面情報を付加画面情報格納手段から抽出し、要約内容短縮手段によって、指定条件情報に従って、要約再生情報検索手段によって抽出された要約再生情報を短縮し、要約再生配信手段によって、付加画面情報抽出手段によって抽出された付加画面情報、及び要約内容短縮手段によって短縮された要約再生情報を指定条件情報に指定されたタイミングで情報利用装置に配信し、放送内容情報格納手段によって、放送内容情報を格納し、指定条件入力手段によって、提供を希望する放送内容要約情報の指定条件情報を入力し、指定条件情報送信手段によって、指定条件情報を情報提供装置に送信し、要約関連情報受信手段によって、情報提供装置から配信された要約再生情報及び付加画面情報を受信し、付加画面表示手段によって、要約関連情報受信手段によって受信された付加画面情報を用いて検索画面の表示を行い、フレーム検索手段によって、要約関連情報受信手段によって受信された要約再生情報を用い、放送内容情報格納手段に格納されている放送内容情報から、放送内容要約情報を構成するフレームを抽出し、画像再生手段によって、フレーム検索手段によって抽出されたフレームを再生することとしたため、記録した番組内容を短時間で視聴者に認知させることが可能となり、視聴する番組の選択が容易になる。そして、情報利用装置の指定条件入力手段は、指定条件情報として、キーワード、放送単位を指定するタイトルＩＤ、視聴可能時間情報、及び配信方法を示す配信方法ＩＤを有する指定条件情報を入力可能であり、情報利用装置の指定条件情報送信手段は、情報利用装置の要約関連情報受信手段によって要約再生情報及び付加画面情報を受信する前は、指定条件入力手段によって入力された指定条件情報を情報提供装置に送信し、要約関連情報受信手段によって要約再生情報及び付加画面情報を受信した後、検索画面から利用者によって要約内容が選択された場合には、指定条件情報として、指定条件入力手段によって入力されたキーワード、タイトルＩＤ、視聴可能時間情報及び配信方法ＩＤとともに、検索画面から利用者が選択した要約内容を示す選択情報ＩＤを有する指定条件情報を情報提供装置に送信する処理を繰り返し、情報提供装置の要約再生情報検索手段は、情報提供装置の要約再生配信手段が付加画面情報及び短縮された要約再生情報を配信する前は、情報利用装置から送信された指定条件情報が有するキーワード及びタイトルＩＤに従って要約再生情報の抽出を行い、要約再生配信手段が付加画面情報及び短縮された要約再生情報を配信した後に指定条件情報が情報利用装置から送信された場合には、送信された指定条件情報が有するキーワード、タイトルＩＤ及び選択情報ＩＤに従って要約再生情報の抽出を行う処理を繰り返し、情報利用装置のフレーム検索手段は、操作手段によって再生する要約が確定したことが指示されたことに基づき、受信された最新の要約再生情報を用いてフレームを抽出することとしたため、視聴者は、表示される検索画面で要約内容を選択し、さらにその選択内容に従って新たに表示される検索画面で要約内容を選択する、という操作を順次行うことにより、段階的により詳細な要約内容を選択して、視聴者の希望を詳細に反映した要約再生情報を受信することができる。
【０１０２】
さらに、本発明の情報提供方法では、情報提供装置に設けられた制御手段が、情報利用装置から利用者が指定したキーワード及び放送単位を指定するタイトルＩＤを有する指定条件情報が送信されたことに応じて、キーワード及びタイトルＩＤに従って、放送内容情報の要約内容を示す要約再生情報が格納された要約再生情報格納手段から、特定の要約再生情報を抽出し、要約再生情報に対応づけて作成されており要約再生情報に示される要約内容をさらに詳細に選択する選択枝を有する検索画面を表示するための付加画面情報が格納された付加画面情報格納手段から、抽出した要約再生情報に対応する付加画面情報を抽出し、抽出した要約再生情報を指定条件情報に従って短縮し、抽出した付加画面情報及び短縮した要約再生情報を指定条件情報に指定されたタイミングで情報利用装置に配信し、配信の後、指定条件情報として、キーワード及びタイトルＩＤとともに検索画面から利用者が選択した要約内容を示す選択情報ＩＤを有する指定条件情報が情報利用装置から送信された場合には、キーワード、タイトルＩＤ及び選択情報ＩＤに従って要約再生情報格納手段から特定の要約再生情報を抽出し、抽出した要約再生情報に対応する付加画面情報を付加画面情報格納手段から抽出し、抽出した要約再生情報を指定条件情報に従って短縮し、抽出した付加画面情報及び短縮した要約再生情報を指定条件情報に指定されたタイミングで情報利用装置に配信する処理を繰り返すこととしたため、記録した番組内容を短時間で視聴者に認知させることが可能となり、視聴する番組の選択が容易になり、また視聴者は、表示される検索画面で要約内容を選択し、さらにその選択内容に従って新たに表示される検索画面で要約内容を選択する、という操作を順次行うことにより、段階的により詳細な要約内容を選択して、視聴者の希望を詳細に反映した要約再生情報を受信することができる。
【０１０３】
また、本発明の情報利用方法では、情報利用装置に設けられた制御手段が、提供を希望する放送内容要約情報を指定する指定条件情報であって利用者が指定したキーワード、放送単位を指定するタイトルＩＤ、視聴可能時間情報、及び配信方法を示す配信方法ＩＤを有する指定条件情報が入力されたことに応じて指定条件情報を情報提供装置に送信し、放送内容情報の要約内容を示す要約再生情報、及び要約再生情報に対応づけられており要約再生情報に示される要約内容をさらに詳細に選択する選択枝を有する検索画面を表示するための付加画面情報が情報提供装置から配信されたことに応じて要約再生情報及び付加画面情報を受信し、受信した付加画面情報を用いて検索画面の表示を行い、検索画面から利用者によって要約内容が選択された場合には、指定条件情報として、キーワード、タイトルＩＤ、視聴可能時間情報及び配信方法ＩＤとともに検索画面から利用者が選択した要約内容を示す選択情報ＩＤを有する指定条件情報を情報提供装置に送信して、情報提供装置から配信された要約再生情報及び付加画面情報を受信し、受信した付加画面情報を用いて検索画面の表示を行う処理を繰り返し、再生する要約が確定したことが指示されたことに基づき、受信した最新の要約再生情報を用い、放送内容情報が格納された放送内容情報格納手段から、放送内容要約情報を構成するフレームを抽出し、抽出されたフレームを再生することとしたため、記録した番組内容を短時間で視聴者に認知させることが可能となり、視聴する番組の選択が容易になり、また視聴者は、表示される検索画面で要約内容を選択し、さらにその選択内容に従って新たに表示される検索画面で要約内容を選択する、という操作を順次行うことにより、段階的により詳細な要約内容を選択して、視聴者の希望を詳細に反映した要約再生情報を受信することができる。
【０１０４】
さらに、本発明の記録媒体では、情報利用装置から利用者が指定したキーワード及び放送単位を指定するタイトルＩＤを有する指定条件情報が送信されたことに応じて、キーワード及びタイトルＩＤに従って、放送内容情報の要約内容を示す要約再生情報が格納された要約再生情報格納手段から、特定の要約再生情報を抽出し、要約再生情報に対応づけて作成されており要約再生情報に示される要約内容をさらに詳細に選択する選択枝を有する検索画面を表示するための付加画面情報が格納された付加画面情報格納手段から、抽出した要約再生情報に対応する付加画面情報を抽出し、抽出した要約再生情報を指定条件情報に従って短縮し、抽出した付加画面情報及び短縮した要約再生情報を指定条件情報に指定されたタイミングで情報利用装置に配信し、配信の後、指定条件情報として、キーワード及びタイトルＩＤとともに検索画面から利用者が選択した要約内容を示す選択情報ＩＤを有する指定条件情報が情報利用装置から送信された場合には、キーワード、タイトルＩＤ及び選択情報ＩＤに従って要約再生情報格納手段から特定の要約再生情報を抽出し、抽出した要約再生情報に対応する付加画面情報を付加画面情報格納手段から抽出し、抽出した要約再生情報を指定条件情報に従って短縮し、抽出した付加画面情報及び短縮した要約再生情報を指定条件情報に指定されたタイミングで情報利用装置に配信する処理を繰り返す機能をコンピュータに行わせるプログラムを格納することとしたため、記録媒体に格納されたプログラムをコンピュータ上で実行させることにより、記録した番組内容を短時間で視聴者に認知させることが可能となり、視聴する番組の選択が容易になり、また視聴者は、表示される検索画面で要約内容を選択し、さらにその選択内容に従って新たに表示される検索画面で要約内容を選択する、という操作を順次行うことにより、段階的により詳細な要約内容を選択して、視聴者の希望を詳細に反映した要約再生情報を受信することができる。
【０１０５】
また、本発明の記録媒体では、放送内容情報を要約した放送内容要約情報のうち提供を希望する放送内容要約情報を指定する指定条件情報であって利用者が指定したキーワード、放送単位を指定するタイトルＩＤ、視聴可能時間情報、及び配信方法を示す配信方法ＩＤを有する指定条件情報が入力されたことに応じて指定条件情報を情報提供装置に送信し、放送内容情報の要約内容を示す要約再生情報、及び要約再生情報に対応づけられており要約再生情報に示される要約内容をさらに詳細に選択する選択枝を有する検索画面を表示するための付加画面情報が情報提供装置から配信されたことに応じて要約再生情報及び付加画面情報を受信し、受信した付加画面情報を用いて検索画面の表示を行い、検索画面から利用者によって要約内容が選択された場合には、指定条件情報として、キーワード、タイトルＩＤ、視聴可能時間情報及び配信方法ＩＤとともに検索画面から利用者が選択した要約内容を示す選択情報ＩＤを有する指定条件情報を情報提供装置に送信して、情報提供装置から配信された要約再生情報及び付加画面情報を受信し、受信した付加画面情報を用いて検索画面の表示を行う処理を繰り返し、再生する要約が確定したことが指示されたことに基づき、受信した最新の要約再生情報を用い、放送内容情報が格納された放送内容情報格納手段から、放送内容要約情報を構成するフレームを抽出し、抽出されたフレームを再生する機能をコンピュータに行わせるプログラムを格納することとしたため、記録媒体に格納されたプログラムをコンピュータ上で実行させることにより、記録した番組内容を短時間で視聴者に認知させることが可能となり、視聴する番組の選択が容易になり、また視聴者は、表示される検索画面で要約内容を選択し、さらにその選択内容に従って新たに表示される検索画面で要約内容を選択する、という操作を順次行うことにより、段階的により詳細な要約内容を選択して、視聴者の希望を詳細に反映した要約再生情報を受信することができる。
【図面の簡単な説明】
【図１】情報提供システムの構成を示した構成図である。
【図２】放送内容情報の詳細構成を示した図である。
【図３】情報提供装置と情報利用装置との間でやりとりが行われる情報の詳細を示した図である。
【図４】情報提供システムの具体例を示した構成図である。
【図５】情報提供装置の構成を示した構成図である。
【図６】情報利用装置の構成を示した構成図である。
【図７】情報加工装置の構成を示した構成図である。
【図８】指定条件情報の入力時において表示装置に表示される表示画面例である。
【図９】指定条件情報の入力時において表示装置に表示される表示画面例である。
【図１０】表示装置に表示される検索画面の様子を示した概念図である
【図１１】検索画面の表示例である。
【図１２】情報提供システムの動作を示したフローチャートである。
【符号の説明】
１、３０…情報提供システム、２、３２…情報提供装置、２ａ…指定条件受信手段、２ｂ…要約内容短縮手段、２ｃ…要約再生情報検索手段、２ｄ…要約再生情報格納手段、２ｅ…付加画面情報格納手段、２ｆ…付加画面情報抽出手段、２ｇ…要約再生配信手段、２ｈ…視聴結果回収手段、２ｉ…顧客管理手段、２ｊ…課金情報送信手段、２ｋ…広告情報格納手段、２ｌ…広告選択手段、３、３３…情報利用装置、３ａ…指定条件入力手段、３ｂ…指定条件情報送信手段、３ｃ…要約関連情報受信手段、３ｄ…要約関連情報認証手段、３ｅ…付加画面表示手段、３ｆ…放送内容情報格納手段、３ｇ…フレーム検索手段、３ｈ…画像再生手段、３ｉ…視聴結果情報返送手段、４、３４…電子通信手段、５、３５…情報加工装置、６、３６…金融決済機関、１０…放送内容情報、１１…ヘッダ、１１ａ…タイムスタンプ、１１ｂ…フレーム番号、１２…フレーム、２０…指定条件情報、２０ａ、２２ａ…認証情報、２０ｂ…配信方法ＩＤ、２０ｃ…視聴可能時間情報、２０ｄ、２１ｂ、２２ｂ…タイトルＩＤ、２０ｅ、２１ｃ、２２ｃ…キーワード、２０ｆ、２２ｄ…選択情報ＩＤ、２１…要約関連情報、２１ａ…要約再生情報、２１ｄ…付加画面情報、２２…視聴結果情報、３２ａ、３３ａ…記録装置、３２ｂ、３３ｂ…情報制御装置、３２ａａ…要約再生情報データベース、３２ａｂ…付加画面情報データベース、３２ａｃ…要約再生情報検索用情報、３２ａｄ…広告情報、３２ａｅ…要約内容短縮用情報、３２ａｆ…配信方法情報、３２ａｇ…視聴統計情報、３３ａａ…放送内容情報、３３ａｂ…ブラウザ用情報、３３ａｃ…放送内容情報検索用情報、３３ｅ…表示装置、３５ａ〜３５ｄ…データベース、３５ｅ…情報加工サーバ、３５ｅａ…テンプレート情報、３５ｆ〜３５ｉ…情報変換装置、３５ｊ…自動系素材情報蓄積サーバ
【図１】
0004362914.tif 000002
【図２】
0004362914.tif 000003
【図３】
0004362914.tif 000004
【図４】
0004362914.tif 000005
【図５】
0004362914.tif 000006
【図６】
0004362914.tif 000007
【図７】
0004362914.tif 000008
【図８】
0004362914.tif 000009
【図９】
0004362914.tif 000010
【図１０】
0004362914.tif 000011
【図１１】
0004362914.tif 000012
【図１２】
0004362914.tif 000013